(57)【要約】【課題】紙質の種類に対応したプレビュー画像を容易に提供する。【解決手段】表示処理装置の抽出部２０２は、原稿データから、有色現像剤を用いて形成する有色領域を示す第１有色版画像データと、画像形成対象の記録媒体における該有色領域以外の紙質領域の範囲を規定した紙質領域データと、を抽出する。第１作成部２０４Ａは、第１有色版画像データを構成する各画素に不透過を示す第１透過率の設定された第２有色版画像データを作成する。第２作成部２０４Ｂは、紙質領域に、取得部２００で取得された紙質の種類に応じた第２透過率の設定された第１質感データを作成する。表示制御部２０８は、第１反射率の設定された第２有色版画像データの表示された有色表示面と、紙質の種類に応じた第２反射率の設定された第１質感データの表示された第１質感面と、を重ねた画像を表示部に表示する制御を行う。【選択図】図１２
2014096648.tif 000002
【特許請求の範囲】
【請求項１】
原稿データから、有色現像剤を用いて形成する有色領域を示す第１有色版画像データと、画像形成対象の記録媒体における該有色領域以外の紙質領域の範囲を規定した紙質領域データと、を抽出する抽出部と、
前記記録媒体の紙質の種類を取得する取得部と、
前記第１有色版画像データを構成する各画素に不透過を示す第１透過率の設定された第２有色版画像データを作成する第１作成部と、
前記紙質領域データによって特定される前記紙質領域に、取得された前記紙質の種類に応じて予め定められた第２透過率の設定された第１質感データを作成する第２作成部と、
前記原稿データに設定する反射率として予め定められた第１反射率を前記第２有色版画像データに設定すると共に、取得された前記紙質の種類に応じて予め定められた第２反射率を前記第１質感データに設定する設定部と、
前記第１反射率の設定された前記第２有色版画像データの表示された有色表示面と、前記第２反射率の設定された前記第１質感データの表示された第１質感面と、を重ねた画像を表示部に表示する制御を行う表示制御部と、
を備えた表示処理装置。
【請求項２】
前記抽出部は、
前記原稿データから、透明現像剤を用いて形成する透明領域を示す特色版画像データを更に抽出すると共に、前記原稿データから、前記記録媒体における前記有色領域及び前記透明領域以外の領域を前記紙質領域の範囲を規定した前記紙質領域データとして抽出し、
前記第２作成部は、
前記特色版画像データによって特定される前記透明領域に、該透明領域の形成によって実現される表面効果の種類に応じて予め定められた第３透過率の設定された第２質感データを更に作成し、
前記設定部は、
前記透明領域の形成によって実現される表面効果の種類に応じて予め定められた第３反射率を前記第２質感データに設定し、
前記表示制御部は、
前記第１反射率の設定された前記第２有色版画像データの表示された有色表示面と、前記第２反射率の設定された前記第１質感データの表示された第１質感面、及び前記第３反射率の設定された前記第２質感データの表示された第２質感面の少なくとも一方と、を重ねた前記画像を前記表示部に表示する制御を行う、
請求項１に記載の表示処理装置。
【請求項３】
前記第１作成部は、
画素毎に画素値の設定された前記第１有色版画像データの各画素に前記第１透過率を設定した前記第２有色版画像データを作成する、
請求項１に記載の表示処理装置。
【請求項４】
前記第２作成部は、
前記紙質領域データを構成する各画素に前記第１有色版画像データの各画素の画素値を設定すると共に、該紙質領域データによって特定される前記紙質領域に、取得された前記紙質の種類に応じて予め定められた前記第２透過率を設定した前記第１質感データを作成する、
請求項１に記載の表示処理装置。
【請求項５】
前記第２作成部は、
前記特色版画像データを構成する各画素に前記第１有色版画像データの各画素の画素値を設定すると共に、前記特色版画像データによって特定される前記透明領域に、該透明領域の形成によって実現される表面効果の種類に応じて予め定められた前記第３透過率を設定した前記第２質感データを作成する、
請求項２に記載の表示処理装置。
【請求項６】
前記表示制御部は、
前記有色表示面、及び前記第１質感面を三次元空間に配置した前記画像を前記表示部に表示する制御を行う、請求項１に記載の表示処理装置。
【請求項７】
前記表示制御部は、
前記有色表示面、前記第１質感面、及び前記第２質感面を三次元空間に配置した前記画像を前記表示部に表示する制御を行う、請求項２に記載の表示処理装置。
【請求項８】
原稿データから、有色現像剤を用いて形成する有色領域を示す第１有色版画像データと、画像形成対象の記録媒体における該有色領域以外の紙質領域の範囲を規定した紙質領域データと、を抽出するステップと、
前記記録媒体の紙質の種類を取得するステップと、
前記第１有色版画像データを構成する各画素に不透過を示す第１透過率の設定された第２有色版画像データを作成するステップと、
前記紙質領域データによって特定される前記紙質領域に、取得された前記紙質の種類に応じて予め定められた第２透過率の設定された第１質感データを作成するステップと、
前記原稿データに設定する反射率として予め定められた第１反射率を前記第２有色版画像データに設定すると共に、取得された前記紙質の種類に応じて予め定められた第２反射率を前記第１質感データに設定するステップと、
前記第１反射率の設定された前記第２有色版画像データの表示された有色表示面と、前記第２反射率の設定された前記第１質感データの表示された第１質感面と、を重ねた画像を表示部に表示する制御を行うステップと、
を含む表示処理方法。
【請求項９】
原稿データから、有色現像剤を用いて形成する有色領域を示す第１有色版画像データと、画像形成対象の記録媒体における該有色領域以外の紙質領域の範囲を規定した紙質領域データと、を抽出するステップと、
前記記録媒体の紙質の種類を取得するステップと、
前記第１有色版画像データを構成する各画素に不透過を示す第１透過率の設定された第２有色版画像データを作成するステップと、
前記紙質領域データによって特定される前記紙質領域に、取得された前記紙質の種類に応じて予め定められた第２透過率の設定された第１質感データを作成するステップと、
前記原稿データに設定する反射率として予め定められた第１反射率を前記第２有色版画像データに設定すると共に、取得された前記紙質の種類に応じて予め定められた第２反射率を前記第１質感データに設定するステップと、
前記第１反射率の設定された前記第２有色版画像データの表示された有色表示面と、前記第２反射率の設定された前記第１質感データの表示された第１質感面と、を重ねた画像を表示部に表示する制御を行うステップと、
をコンピュータに実現させるためのプログラム。
【発明の詳細な説明】
【技術分野】
【０００１】
本発明は、表示処理装置、表示処理方法、及びプログラムに関する。
【背景技術】
【０００２】
印刷を行う前に、印刷結果を推定したプレビュー画像を表示する装置が知られている（例えば、特許文献１）。
【０００３】
特許文献１には、記録メディアの印刷面に対して複数の方向から撮影を行い、複数方向からの入射光の各々に対応する分光反射率を予め取得することが開示されている。そして、特許文献１では、紙質の異なる複数種類の記録媒体毎に、複数方向の入射光に対する分光反射率を予め記憶する。特許文献１では、プレビュー画像表示時には、形成対象の画像の画像データと、照明条件及び画像形成対象の記録媒体に応じた分光反射率に応じて、各画素の画素値を逐次導出することで、プレビュー画像を生成している。
【発明の概要】
【発明が解決しようとする課題】
【０００４】
しかしながら、上記従来技術においては、紙質の異なる複数種類の記録媒体毎に、複数方向の入射光に対する分光反射率を予め測定及び記憶しておく必要がある。このため、従来技術では、紙質の種類に対応したプレビュー画像を容易に提供することは困難であった。
【０００５】
本発明は、上記に鑑みてなされたものであって、紙質の種類に対応したプレビュー画像を容易に提供することができる、表示処理装置、表示処理方法、及びプログラムを提供することを目的とする。
【課題を解決するための手段】
【０００６】
上述した課題を解決し、目的を達成するために、本発明の表示処理装置は、抽出部と、取得部と、第１作成部と、第２作成部と、設定部と、表示制御部と、を備える。抽出部は、原稿データから、有色現像剤を用いて形成する有色領域を示す第１有色版画像データと、画像形成対象の記録媒体における該有色領域以外の紙質領域の範囲を規定した紙質領域データと、を抽出する。取得部は、前記記録媒体の紙質の種類を取得する。第１作成部は、前記第１有色版画像データを構成する各画素に不透過を示す第１透過率の設定された第２有色版画像データを作成する。第２作成部は、前記紙質領域データによって特定される前記紙質領域に、取得された前記紙質の種類に応じて予め定められた第２透過率の設定された第１質感データを作成する。設定部は、前記原稿データに設定する反射率として予め定められた第１反射率を前記第２有色版画像データに設定すると共に、取得された前記紙質の種類に応じて予め定められた第２反射率を前記第１質感データに設定する。表示制御部は、前記第１反射率の設定された前記第２有色版画像データの表示された有色表示面と、前記第２反射率の設定された前記第１質感データの表示された第１質感面と、を重ねた画像を表示部に表示する制御を行う。
【０００７】
また、本発明の表示処理方法は、原稿データから、有色現像剤を用いて形成する有色領域を示す第１有色版画像データと、画像形成対象の記録媒体における該有色領域以外の紙質領域の範囲を規定した紙質領域データと、を抽出するステップと、前記記録媒体の紙質の種類を取得するステップと、前記第１有色版画像データを構成する各画素に不透過を示す第１透過率の設定された第２有色版画像データを作成するステップと、前記紙質領域データによって特定される前記紙質領域に、取得された前記紙質の種類に応じて予め定められた第２透過率の設定された第１質感データを作成するステップと、前記原稿データに設定する反射率として予め定められた第１反射率を前記第２有色版画像データに設定すると共に、取得された前記紙質の種類に応じて予め定められた第２反射率を前記第１質感データに設定するステップと、前記第１反射率の設定された前記第２有色版画像データの表示された有色表示面と、前記第２反射率の設定された前記第１質感データの表示された第１質感面と、を重ねた画像を表示部に表示する制御を行うステップと、を含む表示処理方法である。
【０００８】
また、本発明のプログラムは、原稿データから、有色現像剤を用いて形成する有色領域を示す第１有色版画像データと、画像形成対象の記録媒体における該有色領域以外の紙質領域の範囲を規定した紙質領域データと、を抽出するステップと、前記記録媒体の紙質の種類を取得するステップと、前記第１有色版画像データを構成する各画素に不透過を示す第１透過率の設定された第２有色版画像データを作成するステップと、前記紙質領域データによって特定される前記紙質領域に、取得された前記紙質の種類に応じて予め定められた第２透過率の設定された第１質感データを作成するステップと、前記原稿データに設定する反射率として予め定められた第１反射率を前記第２有色版画像データに設定すると共に、取得された前記紙質の種類に応じて予め定められた第２反射率を前記第１質感データに設定するステップと、前記第１反射率の設定された前記第２有色版画像データの表示された有色表示面と、前記第２反射率の設定された前記第１質感データの表示された第１質感面と、を重ねた画像を表示部に表示する制御を行うステップと、をコンピュータに実現させるためのプログラムである。
【発明の効果】
【０００９】
本発明によれば、紙質の種類に対応したプレビュー画像を容易に提供することができる、という効果を奏する。
【図面の簡単な説明】
【００１０】
【図１】図１は、画像形成システムの構成を例示する図である。
【図２】図２は、第１有色版画像データの一例を示す図である。
【図３】図３は、表面効果の種類を例示する図である。
【図４】図４は、光沢制御版画像データをイメージとして示した図である。
【図５】図５は、ホスト装置の概略構成例を示すブロック図である。
【図６】図６は、画像処理アプリケーションにより表示される画面例を示す図である。
【図７】図７は、画像処理アプリケーションにより表示される画面例を示す図である。
【図８】図８は、濃度値選択テーブルの一例を示す図である。
【図９】図９は、印刷データ生成部により生成された原稿データを示す図である。
【図１０】図１０は、印刷データの構成例を概念的に示す模式図である。
【図１１】図１１は、プレビュー画像の一例を示す図である。
【図１２】図１２は、プレビュー画像処理部の詳細な機能構成を示すブロック図である。
【図１３】図１３は、第１記憶部のデータ構造の一例を示す模式図である。
【図１４】図１４は、第２記憶部のデータ構造の一例を示す模式図である。
【図１５】図１５は、第３記憶部のデータ構造の一例を示す模式図である。
【図１６】図１６は、第４記憶部のデータ構造の一例を示す模式図である。
【図１７】図１７は、分離部及び生成部における処理によって生成されるデータを示す模式図である。
【図１８】図１８は、作成部が生成する画像データの一例を示す模式図である。
【図１９】図１９は、作成部が生成する画像データの一例を示す模式図である。
【図２０】図２０は、表示面の配置位置の一例を示す模式図である。
【図２１】図２１は、表示面の配置位置の一例を示す模式図である。
【図２２】図２２は、印刷データの生成処理の手順を示すフローチャートである。
【図２３】図２３は、光沢制御版画像データの生成処理の手順を示すフローチャートである。
【図２４】図２４は、描画オブジェクト、座標、濃度値との対応関係を示す図である。
【図２５】図２５は、プレビュー画像生成処理の手順を示すフローチャートである。
【図２６】図２６は、プレビュー画像の一例を示す模式図である。
【図２７】図２７は、第１プリンタ制御装置の機能的構成を例示する図である。
【図２８】図２８は、表面効果選択テーブルのデータ構成を例示する図である。
【図２９】図２９は、第２プリンタ制御装置の構成を概念的に例示する図である。
【図３０】図３０は、画像形成システムが行う光沢制御処理の手順を示すフローチャートである。
【図３１】図３１は、光沢制御版画像データの変換処理の手順を示すフローチャートである。
【図３２】図３２は、指定された表面効果の種類と、プリンタ機で用いられるクリアトナー版画像データと、低温定着機で用いられるクリアトナー版画像データと、実際に得られる表面効果との対比を示す図である。
【図３３】図３３は、変更例にかかる画像形成システムを示す図である。
【図３４】図３４は、ハードウェア構成図である。
【発明を実施するための形態】
【００１１】
以下に添付図面を参照して、表示処理装置、表示処理方法、及びプログラムの実施の形態を詳細に説明する。
【００１２】
まず、本実施の形態に係る画像形成システムの構成について図１を用いて説明する。
【００１３】
本実施の形態においては、画像形成システム１は、ホスト装置１０と、第１プリンタ制御装置５０と、第２プリンタ制御装置６０と、プリンタ機７０と、後処理機としてグロッサ８０及び低温定着機９０と、を備える。これらのホスト装置１０と、第１プリンタ制御装置５０と、第２プリンタ制御装置６０と、プリンタ機７０と、後処理機としてのグロッサ８０及び低温定着機９０とは、互いに接続されている。
【００１４】
第１プリンタ制御装置５０は、第２プリンタ制御装置６０を介してプリンタ機７０と通信を行い、プリンタ機７０での画像の形成を制御する。また、第１プリンタ制御装置５０には、ＰＣ（Ｐｅｒｓｏｎａｌ  Ｃｏｍｐｕｔｅｒ）等のホスト装置１０が接続されている。第１プリンタ制御装置５０は、ホスト装置１０から画像データを受信する。そして、第１プリンタ制御装置５０は、当該画像データを用いて、プリンタ機７０がＣＭＹＫの各トナー及びクリアトナーに応じたトナー像を形成するための画像データを生成する。さらに、第１プリンタ制御装置５０は、生成した画像データを、第２プリンタ制御装置６０を介してプリンタ機７０に送信する。
【００１５】
プリンタ機７０は、本実施の形態では、電子写真方式を用いた形態である場合を説明する。本実施の形態では、プリンタ機７０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１６】
ここで、クリアトナーとは、色材を含まない透明な（無色の）トナーである。なお、透明（無色）とは、例えば、透過率が７０％以上であることを示す。
【００１７】
なお、本実施の形態では、プリンタ機７０は、トナーを用いて画像形成を行う場合を説明するが、有色色材を含む有色現像剤、無色色材を含む無色現像剤を用いて画像形成する装置であればよく、トナーを用いた画像形成に限られない。例えば、プリンタ機７０は、有色現像剤や無色現像剤を液滴として吐出するインクジェット方式の装置であってもよい。
【００１８】
プリンタ機７０では、図示を省略する露光器が、第２プリンタ制御装置６０を介して第１プリンタ制御装置５０から送信された画像データに応じて変調した光を感光体に照射する。これによって、感光体上には、画像データに応じた静電潜像が形成される。この静電潜像を各トナーによって現像することでトナー像を形成する。プリンタ機７０では、トナー像を紙に転写し、定着機によって所定の範囲内の温度（通常温度）での加熱及び加圧で定着させる。これによって紙に画像が形成される。
【００１９】
なお、紙は、記録媒体の一例であり、画像形成可能な媒体であればよい。紙には、パルプ等の繊維を含む媒体を用いてもよいし、合成紙やビニール紙を用いてもよい。
【００２０】
グロッサ８０は、第１プリンタ制御装置５０から指定されるオンオフ情報によりオン又はオフが制御され、オンにされた場合に、プリンタ機７０により紙に形成された画像を高温及び高圧で加圧し、その後、冷却して本体から画像が形成された紙を剥離する。これにより紙に形成された画像全体において所定以上のトナーが付着した各画素のトナーの総付着量は均一に圧縮される。
【００２１】
低温定着機９０には、クリアトナー用の感光体、帯電器、現像器および感光体クリーナを含む作像ユニット、露光器及び当該クリアトナーを定着させるための定着機が搭載されている。低温定着機９０には、第１プリンタ制御装置５０が生成した後述のクリアトナー版画像データが入力される。低温定着機９０は、クリアトナー版画像データを用いてクリアトナーによるトナー像を形成する。さらに、低温定着機９０は、加圧した紙上に当該トナー像を重ねて、図示を省略する定着機によって、当該トナー像を通常よりも低い加熱または加圧で紙に定着させる。
【００２２】
ここで、ホスト装置１０が第１プリンタ制御装置５０へ出力する画像データについて説明する。
【００２３】
ホスト装置１０では、予めインストールされた画像処理アプリケーション（後述する画像処理部１２０、版データ生成部１２２、印刷データ生成部１２３等）により画像データを生成する。そして、ホスト装置１０は、生成した画像データを、第１プリンタ制御装置５０に送信する。このような画像処理アプリケーションでは、ＲＧＢ版やＣＭＹＫ版などの各色版における各色の濃度の値（濃度値という）を画素毎に規定した画像データに対して、特色版画像データを取り扱うことが可能である。特色版とは、ＣＭＹＫなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００２４】
本実施の形態における画像形成システム１では、ＣＭＹＫの基本カラーのトナーである有色現像剤に加えて、特色としてのクリアトナーである透明現像剤を用いる。
【００２５】
本実施の形態の画像形成システム１においては、クリアトナーを用いることにより、異なる複数種類の透明処理（クリア処理ともいう）を実行する。クリア処理としては、クリアトナーを用いることにより、紙に付与する視覚的または触覚的な効果である表面効果を形成する処理や、透明画像を形成する処理がある。
【００２６】
ホスト装置１０の画像処理アプリケーションは、入力された画像データに対して、第１有色版画像データ、及び特色版画像データを生成する。
【００２７】
第１有色版画像データとは、有色トナー等の有色現像剤によって形成する画像を規定した画像データである。第１有色版画像データは、詳細には、画素毎にＲＧＢやＣＭＹＫ等の有色の濃度値を規定した画像データである。この第１有色版画像データでは、ユーザによる色の指定により、１画素が例えば８ビットで表現される。図２は、第１有色版画像データの一例を示す説明図である。図２において、ハートオブジェクト、四角形の領域に配置された写真オブジェクト等のオブジェクトごとに、画像処理アプリケーションで指定された色に対応する濃度値が付与される。
【００２８】
特色版画像データは、クリアトナーを用いて実現する透明領域を規定したデータである。特色版画像データは、光沢制御版画像データと、クリア版画像データと、を含む。これらの光沢制御版画像データ、及びクリア版画像データは、ユーザの指定に基づいて生成される。
【００２９】
光沢制御版画像データは、紙に付与する表面効果を規定した画像データである。光沢制御版画像データは、詳細には、紙に付与する視覚的または触覚的な効果である表面効果に応じたクリアトナーの付着制御を行うため、当該表面効果の与えられる領域および当該表面効果の種類を特定した画像データである。
【００３０】
クリア版画像データとは、上記表面効果以外のウォータマークやテクスチャ等の透明画像を特定した画像データである。
【００３１】
光沢制御版画像データは、ＲＧＢやＣＭＹＫ等の第１有色版画像データと同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版画像データによって、表面効果の種類と、表面効果を与える領域とが表される。
【００３２】
ホスト装置１０は、ユーザが画像処理アプリケーションにより指定した描画オブジェクトに対する表面効果の種類を、描画オブジェクトごとに光沢制御値としての濃度値として設定し、ベクタ形式の光沢制御版画像データを生成する。
【００３３】
光沢制御版画像データを構成する各画素は、第１有色版画像データの画素に対応する。なお、各画像データにおいては各画素の表す濃度値が画素値となる。また、第１有色版画像データ及び光沢制御版画像データは共にページ単位で構成される。
【００３４】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｒｏｓｓ）、ベタ光沢（Ｇ：Ｇｒｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００３５】
鏡面光沢やベタ光沢は、光沢を与える度合いが高く、逆に、網点マットやつや消しは、光沢を抑えるためのものであり、特に、つや消しは、通常の紙が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。
【００３６】
このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。
【００３７】
なお、処理対象の画像データによって表される画像のどの領域に表面効果を与えるのかや、その領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザによって指定され表面効果に対応する濃度値がセットされることにより、光沢制御版画像データが生成される。濃度値と表面効果の種類との対応関係については後述する。
【００３８】
図４は、光沢制御版画像データの一例を示す説明図である。図４の光沢制御版画像データ例では、ユーザにより、描画領域「ハートオブジェクト」および「写真オブジェクト」に表面効果「Ｇ（ベタ光沢）」が付与され、描画領域「リボンオブジェクト」に表面効果「Ｍ（網点マット）」が付与された例を示している。なお、各表面効果に設定された濃度値は、後述の濃度値選択テーブルで、表面効果の種類に対応して定められた濃度値である。
【００３９】
このように、特色版画像データである、光沢制御版画像データ、及びクリア版画像データは、ホスト装置１０の画像処理アプリケーションにより、第１有色版画像データとは別のプレーン（版）で生成される。また、第１有色版画像データ、光沢制御版画像データ、クリア版画像データの各画像データの形式には、ＰＤＦ（Ｐｏｒｔａｂｌｅ  Ｄｏｃｕｍｅｎｔ  Ｆｏｒｍａｔ）形式が用いられ、各版のＰＤＦの画像データを統合して原稿データとして生成される。原稿データのデータ形式にも、ＰＤＦ形式が用いられる。なお、各版画像データのデータ形式は、ＰＤＦに限定されるものではなく、任意の形式を用いることができる。
【００４０】
次に、このような各版画像データを生成するホスト装置１０の詳細について説明する。
【００４１】
図５は、ホスト装置１０の概略構成例を示すブロック図である。図５に示すように、ホスト装置１０は、Ｉ／Ｆ部１１と、記憶部１２と、入力部１３と、表示部１４と、制御部１５とを含んで構成される。
【００４２】
Ｉ／Ｆ部１１は、第１プリンタ制御装置５０との間で通信を行うためのインタフェース装置である。記憶部１２は、各種のデータを記憶するハードディスクドライブ装置（ＨＤＤ）やメモリ等の記憶媒体である。入力部１３は、ユーザが各種の操作入力を行うための入力デバイスであり、例えばキーボードやマウスなどで構成され得る。表示部１４は、各種画面を表示するための表示デバイスであり、例えば液晶パネルなどで構成され得る。
【００４３】
制御部１５は、ホスト装置１０全体を制御し、ＣＰＵ、ＲＯＭおよびＲＡＭなどを含んで構成されるコンピュータである。
【００４４】
図５に示すように、制御部１５は、入力制御部１２４と、画像処理部１２０と、表示制御部１２１と、版データ生成部１２２と、印刷データ生成部１２３と、プレビュー画像処理部１２５とを主に備えている。これらの各部のうち入力制御部１２４および表示制御部１２１は、制御部１５のＣＰＵがＲＯＭ等に格納されたオペレーティングシステムのプログラムを読み出してＲＡＭ上に展開して実行することにより実現される。画像処理部１２０、版データ生成部１２２、印刷データ生成部１２３およびプレビュー画像処理部１２５は、制御部１５のＣＰＵがＲＯＭ等に格納された上述の画像処理アプリケーションのプログラムを読み出してＲＡＭ上に展開して実行することにより実現される。
【００４５】
版データ生成部１２２は、例えば、画像処理アプリケーションにインストールされたプラグインの機能として提供される。なお、これらの各部のうちの少なくとも一部を個別の回路（ハードウェア）で実現することも可能である。
【００４６】
入力制御部１２４は、入力部１３からの各種入力を受け付けて入力を制御する。例えばユーザは、入力部１３を操作することにより、記憶部１２に記憶された各種画像（例えば写真、文字、図形、これらを合成した画像等）のうち表面効果を与えるべき画像、すなわち第１有色版画像データ（以下、「対象画像」と呼ぶ場合もある。）を指定する画像指定情報を入力することができる。なお、これに限らず、画像指定情報の入力方法は任意である。
【００４７】
表示制御部１２１は、表示部１４に対する各種情報の表示を制御する。本実施の形態では、表示制御部１２１は、入力制御部１２４で画像指定情報を受け付けた場合、その画像指定情報で指定された画像を記憶部１２から読み出し、その読み出した画像を画面上に表示するように表示部１４を制御する。
【００４８】
ユーザは、表示部１４に表示された対象画像を確認しながら、入力部１３を操作することにより、表面効果を与える領域および当該表面効果の種類を指定する指定情報を入力することができる。なお、指定情報の入力方法は、これに限られるものではなく、任意である。
【００４９】
表示制御部１２１は、例えば、図６に例示される画面を表示部１４に表示させる。図６は、Ａｄｏｂｅ  Ｓｙｓｔｅｍｓ（Ｒ）社が販売しているＩｌｌｕｓｔｒａｔｏｒにプラグインを組み込んだ場合に表示される画面の例である。図６に示される画面では、処理対象である対象画像データ（第１有色版画像データ）によって表される画像が表示され、ユーザが入力部１３を介してマーカ追加ボタンを押下して、表面効果を与えたい領域を指定する操作入力を行うことで、表面効果を与える領域が指定される。ユーザは表面効果を与える全ての領域に対してこのような操作入力を行うことになる。
【００５０】
そして、ホスト装置１０の表示制御部１２１は、例えば、指定された領域毎に、図７に例示される画面を表示部１４に表示させる。図７に示される画面では、表面効果を与えるものとして指定された各領域において当該領域の画像が表され、当該画像に対して与えたい表面効果の種類を指定する操作入力を、入力部１３を介して行うことで、当該領域に対して与える表面効果の種類が指定される。表面効果の種類として、図３の鏡面光沢やベタ光沢は図７では「インバースマスク」と表記されており、図３の鏡面光沢やベタ光沢を除く他の効果は、図７のステンドグラスや万線パターンや網目パターンやモザイクスタイルと、ハーフトーンとして表記されており、各々の表面効果が指定可能であることが示されている。
【００５１】
図６に戻り、また、本実施の形態では、ユーザは、表示部１４に表示された対象画像を確認しながら入力部１３を操作することにより、画像形成対象の紙の紙質の種類（以下、紙質種と称する場合がある）を入力する。
【００５２】
紙質の種類は、画像形成された紙を視認したときに、紙質の違いがユーザによって確認される程度に異なる種類毎に予め定められている。本実施の形態では、紙質の種類として、布目紙、マット紙、光沢紙、及び上質紙を一例に挙げて説明するが、これら以外の種類であってもよい。
【００５３】
例えば、ユーザによる入力部１３の操作指示によって、表示部１４に表示された「紙質種」の選択ボタンが選択されることで、予め登録された複数種類の紙質種の何れかを選択するための選択画面（図示省略）が表示される。そして、ユーザによる入力部１３の更なる操作指示によって、画像形成対象の紙の紙質種が選択されることで、画像形成対象の紙の紙質種を示す情報が、制御部１５に入力される。なお、紙質種の選択は、図６に示すような、表面効果を与える領域を設定するための画面とは別の画面から行うようにしてもよい。
【００５４】
図５に戻り、画像処理部１２０は、対象画像に対して、ユーザからの入力部１３を介した指示に基づいて、各種画像処理を行う。
【００５５】
版データ生成部１２２は、第１有色版画像データ、特色版画像データ（光沢制御版画像データ、クリア版画像データ）をそれぞれ生成する。すなわち、版データ生成部１２２は、入力制御部１２４で、対象画像の描画オブジェクトに対するユーザによる色指定を受け付けた場合、当該色指定に従って、第１有色版画像データを生成する。
【００５６】
また、版データ生成部１２２は、入力制御部１２４で指定情報（表面効果を与える領域および当該表面効果の種類）を受け付けた場合、当該指定情報に基づいて、紙において表面効果が与えられる領域および当該表面効果の種類を特定可能な光沢制御版画像データを生成する。版データ生成部１２２は、表面効果を付与する領域を、対象画像の画像データの描画オブジェクトの単位で指定した光沢制御版画像データを生成する。
【００５７】
また、版データ生成部１２２は、入力制御部１２４で、表面効果以外のウォータマークやテクスチャ等の透明画像及び透明画像を付与する領域の指定を受け付けた場合、当該ユーザからの指定に従って、透明画像および透明画像を付与する紙における領域を特定するためのクリア版画像データを生成する。
【００５８】
記憶部１２には、ユーザにより指定された表面効果の種類と、当該表面効果の種類に対応する濃度値とを記憶した濃度値選択テーブルが格納されている。
【００５９】
図８は、濃度値選択テーブルの一例を示す図である。図８の例では、光沢制御版画像データにおける、ユーザによりクリア処理として表面効果「ＰＧ」（鏡面光沢）が指定された領域に対応する濃度値は「９８％」であり、「Ｇ」（ベタ光沢）が指定された領域に対応する濃度値は「９０％」であり、「Ｍ」（網点マット）が指定された領域に対応する濃度値は「１６％」であり、「ＰＭ」（つや消し）が指定された領域に対応する濃度値は「６％」である。
【００６０】
この濃度値選択テーブルは、第１プリンタ制御装置５０で記憶している表面効果選択テーブル（後述）と同じデータであるが、図８では概略を示している。記憶部１２に記憶されている濃度値選択テーブルは、制御部１５が所定のタイミングで第１プリンタ制御装置５０から取得し、記憶部１２に記憶したものである。なお、インターネット等のネットワーク上のストレージサーバ（クラウド）に表面効果選択テーブルを保存しておき、制御部１５が当該サーバから表面効果選択テーブルを取得して、記憶部１２に記憶するようにしてもよい。ただし、第１プリンタ制御装置５０で記憶している表面効果選択テーブルと記憶部１２に保存されている表面効果選択テーブルとは同じデータである必要がある。
【００６１】
図５に戻り、版データ生成部１２２は、図８に示す濃度値選択テーブルを参照しながら、ユーザにより所定の表面効果が指定された描画オブジェクトの濃度値（光沢制御値ともいう）を、当該表面効果の種類に応じた値に設定することで、光沢制御版画像データを生成する。
【００６２】
例えばユーザにより、図２に示した第１有色版画像データである対象画像のうち、「ハートオブジェクト（ハートの描画領域）」および「写真オブジェクト（写真の描画領域）」に「Ｇ」を与え、第１有色版画像データの下方に配置された「リボンオブジェクト（リボンの描画領域）」に「Ｍ」を与えることが指定された場合を想定する。この場合、版データ生成部１２２は、ユーザにより「Ｇ」が指定された描画領域（「ハートオブジェクト」および「写真オブジェクト」）の濃度値を「９０％」に設定し、「Ｍ」が指定された描画領域（「リボンオブジェクト」）濃度値を「１６％」に設定することで、光沢制御版画像データを生成する。
【００６３】
版データ生成部１２２で生成された光沢制御版画像データは、点の座標と、それを結ぶ線や面の方程式のパラメータ、および、塗り潰しや特殊効果などを示す描画オブジェクトの集合として表現されるベクタ形式のデータである。
【００６４】
図４は、光沢制御版画像データをイメージとして示した図である。版データ生成部１２２は、対象画像の画像データ（第１有色版画像データ）と、光沢制御版画像データと、クリア版画像データとを統合した原稿データを生成して印刷データ生成部１２３へ渡す。
【００６５】
図９は、版データ生成部１２２により生成された原稿データ３００を示す図である。
【００６６】
原稿データは、同一ページ中に、複数の描画領域（オブジェクト）を示す描画情報を含んでいる。図９に示す原稿データの例においては、１ページ目において、オブジェクト１〜オブジェクト４の４つのオブジェクトがクリア処理の対象として指定されている。各オブジェクトは、第１有色版画像データと光沢制御版画像データとによって特定される。
【００６７】
図９に示す例では、オブジェクト１は、第１有色版画像データによって特定される有色画像の描画領域である。すなわち、オブジェクト１は、第１有色版画像データによって、有色トナー（有色現像剤）により画像が形成されることが指定されている領域である。オブジェクト２〜オブジェクト４は、いずれも光沢制御版画像データによって特定される描画領域である。すなわち、オブジェクト２〜オブジェクト４は、光沢制御版画像データに対応するクリア処理が施され、クリアトナーにより画像が形成されることが指定されている領域である。
【００６８】
原稿データは、オブジェクト毎に、描画情報として、描画領域の位置や、色空間や、濃度を示す情報を含む。描画領域の位置は、例えば、座標情報または座標情報の集合によって示される。色空間とは、各描画領域（オブジェクト）が、有色画像、及び透明領域の何れであるかを示す。なお、図９中また後述する各図中では、透明領域の内、表面効果を付与する領域を、Ｒ−ｅｆｆｅｃｔと表記する場合がある。さらに、有色画像を、ＲＧＢと表記する場合がある。また、各オブジェクトの濃度として、濃度値（０〜１００％）が設定されている場合を説明する。
【００６９】
なお、図９に示す例では、第１有色版画像データによって特定される有色画像の描画領域群を、１つのオブジェクト（描画領域）として扱う場合を示した。また、図９の例では、クリア版画像データにより特定されたオブジェクトは含まれていないが、クリア版画像データにより特定されたオブジェクトが存在する場合には、原稿データには、クリア版画像データにより指定されたオブジェクトも含まれる。
【００７０】
印刷データ生成部１２３は、原稿データに基づいて印刷データを生成する。上述したように、原稿データは、第１有色版画像データと、特色版画像データ（光沢制御版画像データ、クリア版画像データ）と、を含む。
【００７１】
印刷データは、対象画像の画像データ（第１有色版画像データ）と、特色版画像データと、例えばプリンタの設定、集約の設定、両面の設定などをプリンタに対して指定するジョブコマンドとを含んで構成される。
【００７２】
図１０は、印刷データの構成例を概念的に示す模式図である。図１０の例では、ジョブコマンドとして、ＪＤＦ（Ｊｏｂ  Ｄｅｆｉｎｉｔｉｏｎ  Ｆｏｒｍａｔ）が用いられているが、これに限られるものではない。図１０に示すＪＤＦは、集約の設定として「片面印刷・ステープル有り」を指定するコマンドである。また、印刷データは、ＰｏｓｔＳｃｒｉｐｔのようなページ記述言語（ＰＤＬ）に変換されてもよいし、第１プリンタ制御装置５０が対応していれば、ＰＤＦ形式のままでもよい。
【００７３】
プレビュー画像処理部１２５は、表示処理装置に相当する。
【００７４】
プレビュー画像処理部１２５は、版データ生成部１２２で生成された原稿データ、及びユーザによる入力部１３の操作指示によって入力された画像形成対象の紙の紙質の種類を受け付ける。そして、プレビュー画像処理部１２５は、原稿データのプレビュー画像を生成する。
【００７５】
プレビュー画像は、原稿データをユーザによって指定された光沢効果等のクリア処理が施された印刷結果を推定するイメージ画像であり、表示制御部１２１を介して表示部１４に表示される。ユーザは、表示部１４に表示されたプレビュー画像を確認することにより、印刷前に表面効果等の処理が施された原稿データの印刷物の仕上がりを確認することができる。
【００７６】
なお、本実施の形態では、プレビュー画像処理部１２５は、第１有色版画像データと、特色版画像データとしての光沢制御版画像データと、を含む原稿データを、版データ生成部１２２から受け付ける場合を説明する。すなわち、本実施の形態では、プレビュー画像処理部１２５で受け付ける原稿データに含まれる特色版画像データは、光沢制御版画像データを含み、クリア版画像データを含まない場合を一例として説明する。なお、プレビュー画像処理部１２５は、クリア版画像データを含む原稿データを受け付けてもよいことはいうまでもない。
【００７７】
また、本実施の形態では、プレビュー画像処理部１２５が受け付ける原稿データに含まれる光沢制御版画像データには、１種類の表面効果の種類が設定されているものとして説明するが、複数種類の表面効果の種類が設定されていてもよい。
【００７８】
図１１は、プレビュー画像の一例を示す図である。プレビュー画像は、図１１に示すように、有色表示面と、第１質感面と、第２質感面と、を含む。
【００７９】
有色表示面は、第１有色版画像データの印刷結果を推定したイメージデータが表示された表示面である。有色表示面は、第１有色版画像データに基づいて、プレビュー画像処理部１２５によって生成される（詳細後述）。
【００８０】
第１質感面は、紙質領域データのイメージデータが表示された表示面である。紙質領域データとは、画像形成対象の紙における、トナー等の現像剤の載らない紙質領域の範囲を規定したデータである。なお、紙質領域とは、画像形成対象の紙において、有色トナー及びクリアトナー等の現像剤の載らない領域である。紙質領域データ、及び第１質感データは、後述するプレビュー画像処理部１２５で生成される（詳細後述）。
【００８１】
第２質感面は、特色版画像データのイメージデータが表示された表示面である。すなわち、本実施の形態では、第２質感面は、光沢制御版画像データのイメージデータが表示された表示面である。第２質感面は、第２質感データに基づいて生成される。第２質感データは、後述するプレビュー画像処理部１２５において、光沢制御版画像データに基づいて生成される（詳細後述）。
【００８２】
本実施の形態では、プレビュー画像は、これらの有色表示面、第１質感面、及び第２質感面を３次元空間に配置した３次元モデルを２次元面に投影したプレビュー画像である場合を説明する。
【００８３】
３次元モデルは、表示部１４としての表示画面の横方向をｘ軸、上下方向をｙ軸、表示画面に垂直な方向をｚ軸とする。有色表示面、第１質感面、及び第２質感面は、ｚ軸方向に沿って、ｚ軸方向に異なる位置に配置されている。なお、有色表示面、第１質感面、及び第２質感面の、複数のクリア表示面のｘ軸方向、及びｙ軸方向の位置は同一である。
【００８４】
なお、プレビュー画像は、有色表示面、第１質感面、及び第２質感面を二次元空間に配置した二次元モデルであってもよい。
【００８５】
また、本実施の形態では、プレビュー画像は、有色表示面、第１質感面、及び第２質感面を含む画像である場合を説明するが、少なくとも有色表示面、及び第１質感面を含む画像であればよく、第２質感面を含まない形態であってもよい。
【００８６】
プレビュー画像処理部１２５は、プレビュー画像を生成する。
【００８７】
図１２は、図５に示すプレビュー画像処理部１２５の詳細な機能構成を示すブロック図である。
【００８８】
プレビュー画像処理部１２５は、取得部２００、抽出部２０２、作成部２０４、設定部２０６、及び表示制御部２０８を備える。また、記憶部１２は、第１記憶部２１０、第２記憶部２１２、第３記憶部２１４、及び第４記憶部２１６を更に含む。これらの第１記憶部２１０、第２記憶部２１２、第３記憶部２１４、及び第４記憶部２１６は、プレビュー画像処理部１２５によるプレビュー画像生成時に参照される。
【００８９】
図１３は、第１記憶部２１０のデータ構造の一例を示す模式図である。プレビュー画像処理部１２５は、原稿データからグレイスケールデータを抽出するときに、第１記憶部２１０を参照する（詳細後述）。グレイスケールデータとは、原稿データにおける、質感を規定した質感領域を示すデータである（詳細後述）。
【００９０】
具体的には、第１記憶部２１０は、質感種に対応する画素値を定めたテーブルである。なお、質感種とは、クリアトナーの付与や、形成対象の紙の紙質の種類によって実現される、質感（視覚的な効果）の種類を示す。本実施の形態では、質感種は、紙質の種類によって規定される質感である「紙質」、及び表面効果の種類によって規定される質感、を含む。表面効果の種類は、上述したように、「ＰＧ」、「Ｍ」、「Ｇ」、「ＰＭ」等である。
【００９１】
第１記憶部２１０は、図１３に示すように、紙質の種類によって実現される質感の種類「紙質」に対応する画素値として、一例として、画素値「０」を定めている。また、第１記憶部２１０は、表面効果の種類については、各表面効果の種類に応じた質感を表示画面上で実現するための画素値を定めている。
【００９２】
図１４は、第２記憶部２１２のデータ構造の一例を示す模式図である。プレビュー画像処理部１２５は、紙質領域データ、及び光沢制御版画像データの各々に、アルファ値（透過率、アルファチャネルと称される場合もある）を付与するときに、第２記憶部２１２を参照する（詳細後述）。
【００９３】
第２記憶部２１２は、質感種に対応するアルファ値（透過率、アルファチャネルと称される場合もある）を定めたテーブルである。図１４に示すように、第２記憶部２１２は、紙質の種類（「布目紙」、「マット紙」、「光沢紙」、「上質紙」等）の各々に対応するアルファ値（第２透過率）を予め定めている。また、第２記憶部２１２は、表面効果の種類（「鏡面光沢」（ＰＧ）、「ベタ光沢」（Ｇ）、「網点マット」（Ｍ）、「つや消し」（ＰＭ））の各々に応じた、アルファ値（第３透過率）を定めている。
【００９４】
なお、アルファ値には、各紙質の種類に対応する紙質の紙に画像が形成されたときに得られる透過率（第２透過率）、及び各表面効果の種類に応じた表面効果が実現されたときに得られる透過率（第３透過率）の各々を推定した値が予め設定される。なお、第２記憶部２１２に格納されている各質感種に対応するアルファ値には、各質感種に応じて、アルファ値「０」（透過率１００％）以上、アルファ値「２５５」（不透過（透過率０％））未満の値が定められる。
【００９５】
また、記憶部１２は、第１有色版画像データに付与する透過率として、不透過（透過率０％（アルファ値「２５５」））を示す第１透過率を、第１有色版画像データを示す情報に対応づけて予め記憶している。
【００９６】
また、記憶部１２は、表示時の各種パラメータを設定するための各種情報を、第３記憶部２１４、及び第４記憶部２１６へ予め記憶する。
【００９７】
パラメータには、図１１を参照しつつ説明した各表示面（有色表示面、第１質感面、及び第２質感面）の法線ベクトル、これらの表示面の配置位置、これらの表示面に対して表示時に照射される光を演出するための光の反射率、及びこれらの表示面に対して表示時に照射される光を演出するための光源種がある。
【００９８】
法線ベクトルは、各表示面（有色表示面、第１質感面、第２質感面）により定まる情報である。配置位置は、図１１を参照しつつ説明した所定の３次元空間における配置位置である。ｘ軸方向の配置位置およびｙ軸方向の配置位置は、設定部２０６によって予め設定されている。ｚ軸方向の配置位置は、表示面の種類や、表示面の数によって予め設定されている。なお、このｚ軸方向の配置位置は、ユーザによる入力部１３の操作指示によって変更可能である。
【００９９】
記憶部１２は、表示面に対して表示時に照射される光を演出するための光の反射率を、第３記憶部２１４へ予め記憶する。また、記憶部１２は、表示面に対して表示時に照射される光を演出するための光の光源種を、第４記憶部２１６へ予め記憶する。
【０１００】
図１５は、第３記憶部２１４のデータ構造の一例を示す模式図である。図１５に示すように、第３記憶部２１４は、第１有色版画像データに対応する反射率（第１反射率）、紙質の種類に対応する反射率（第２反射率）、及び表面効果の種類に対応する反射率（第３反射率）を予め記憶したテーブルである。具体的には、第３記憶部２１４は、質感種と、反射率と、を対応づけて予め記憶する。
【０１０１】
なお、第３記憶部２１４は、質感種として、第１記憶部２１０で規定される質感の種類（紙質の種類、及び表面効果の種類によって規定される質感）に加えて、第１有色版画像データを示す「原稿」が規定されている。すなわち、第１有色版画像データについては、「原稿」に対応する反射率（第１反射率）が設定されることとなる（詳細後述）。第１反射率は、原稿データに設定する反射率として予め定められた反射率である。
【０１０２】
反射率は、鏡面光反射率、拡散光反射率、及び環境光反射率を含む。
【０１０３】
図１６は、第４記憶部２１６のデータ構造の一例を示す模式図である。図１６に示すように、第４記憶部２１６は、光源種と、光量と、を対応づけて記憶したテーブルである。光量は、鏡面光量と、拡散光量と、環境光量と、を含む。光量は、各光源種に対応する光を表現するときの光量を示す。光源種は、質感種に対応する光源種を予め対応づけて記憶しておいてもよいし、ユーザによる入力部１３の操作指示によって設定してもよい。
【０１０４】
図１２に戻り、取得部２００は、画像形成対象の紙の紙質の種類を取得する。取得部２００は、例えば、ユーザの入力部１３の操作指示によって指定された紙質の種類を、入力部１３から取得すればよい。また、原稿データが、紙質の種類を含む場合には、版データ生成部１２２から受け付けた原稿データに含まれる紙質の種類を読取ればよい。
【０１０５】
抽出部２０２は、原稿データから、第１有色版画像データと、表示前第２質感データ（詳細後述）と、紙質領域データと、を抽出する。抽出部２０２は、分離部２０２Ａと、生成部２０２Ｂと、を含む。
【０１０６】
分離部２０２Ａは、原稿データから、第１有色版画像データを分離する。また、分離部２０２Ａは、原稿データから、グレイスケールデータを抽出する。
【０１０７】
図１７は、分離部２０２Ａ及び生成部２０２Ｂにおける処理によって生成されるデータを示す模式図である。
【０１０８】
詳細には、分離部２０２Ａは、原稿データ（図１７中、原稿データ３００参照）から、第１有色版画像データ（図１７中、第１有色版画像データ３０２参照）を分離する。また、分離部２０２Ａは、グレイスケールデータ（図１７中、グレイスケールデータ３０４参照）を抽出する。具体的には、分離部２０２Ａは、第１記憶部２１０を参照し、原稿データに含まれる光沢制御版画像データによって特定される透明領域を構成する各画素に、透明領域の表面効果（質感種）に対応する画素値を設定すると共に、該透明領域以外の領域を構成する各画素に、質感種「紙質」に対応する画素値を設定する。これによって、分離部２０２Ａは、グレイスケールデータを作成する（図１７中、グレイスケールデータ３０４参照）。
【０１０９】
生成部２０２Ｂは、グレイスケールデータから、設定されている表面効果の種類の数に対応する数の、表示前第２質感データ（図１７中、表示前第２質感データ３０６参照）を生成する。表示前第２質感データは、光沢制御版画像データを、同じ表面効果の種類毎に別の版として規定したデータである。このため、グレイスケールデータに、複数種類の表面効果の種類が設定されている場合には、生成部２０２Ｂは、該表面効果の種類に応じた数の、表示前第２質感データを生成する。なお、本実施の形態では、上述したように、光沢制御版画像データには、１種類の表面効果の種類が設定されている場合を一例として説明するため、生成部２０２Ｂは、グレイスケールデータから、１種類の表示前第２質感データ（図１７中、表示前第２質感データ３０６参照）を生成する。
【０１１０】
また、生成部２０２Ｂは、表示前第２質感データ（図１７中、表示前第２質感データ３０６参照）から、紙質領域データ（図１７中、紙質領域データ３０８参照）を生成する。詳細には、生成部２０２Ｂは、グレイスケールデータにおける、表示前第２質感データによって特定される透明領域以外の領域から、第１有色版画像データによって特定される有色領域と重なる部分を除いた領域を、紙質領域として抽出することで、紙質領域データを生成する。すなわち、生成部２０２Ｂは、原稿データにおける、第１有色版画像データによって特定される有色領域、及び表示前第２質感データによって特定される透明領域以外の領域を、紙質領域を示す紙質領域データとして生成する。
【０１１１】
具体的には、生成部２０２Ｂは、第１有色版画像データ（図１７中、第１有色版画像データ３０２参照）によって特定される有色領域から、グレイスケールデータ（図１７中、グレイスケールデータ３０４参照）によって特定される透明領域を除いた有色トナー領域（図１７中、有色トナー領域画像データ３０３によって特定される有色トナー領域参照）を抽出する。そして、生成部２０２Ｂは、形成対象の紙の全領域から、有色トナー領域と、表示前第２質感データ（図１７中、表示前第２質感データ３０６参照）によって特定される透明領域と、を除いた領域を、紙質領域データとして生成する。
【０１１２】
図１２に戻り、作成部２０４は、抽出部２０２で抽出された第１有色版画像データと、紙質領域データと、表示前第２質感データと、に透過率を設定し、第２有色版画像データ、第１質感データ、及び第２質感データの各々を作成する。
【０１１３】
作成部２０４は、第１作成部２０４Ａ及び第２作成部２０４Ｂを含む。
【０１１４】
第１作成部２０４Ａは、抽出部２０２で抽出された第１有色版画像データによって特定される有色領域を構成する各画素に、第１透過率として、不透過を示すアルファ値「２５５」（透過率「０」％）を設定することで、第２有色版画像データを生成する。すなわち、第２有色版画像データは、第１有色版画像データによって特定される有色領域を構成する各画素に、該有色領域を構成する各画素値（ＲＧＢ値）と、アルファ値「２５５」と、を設定したデータである。
【０１１５】
図１８は、作成部２０４が生成する画像データの一例を示す模式図である。図１８に示すように、第１作成部２０４Ａは、第１有色版画像データ（図１８中、第１有色版画像データ３０２参照）に、不透過を示すアルファ値を設定した第２有色版画像データ（図１８中、第２有色版画像データ３０２Ｂ参照）を作成する。
【０１１６】
図１２に戻り、第２作成部２０４Ｂは、抽出部２０２で抽出された紙質領域データ、及び表示前第２質感データの各々に透過率（第２透過率、第３透過率）を設定し、第１質感データ、及び第２質感データの各々を作成する。
【０１１７】
詳細には、第２作成部２０４Ｂは、紙質領域データによって特定される紙質領域を構成する各画素に、アルファ値として、取得部２００で取得した紙質の種類に対応するアルファ値（第２透過率）を設定する。紙質の種類に対応するアルファ値は、第２記憶部２１２から読み取ることによって得る。また、第２作成部２０４Ｂは、紙質領域データを構成する各画素に、第１有色版画像データにおける各画素の画素値（ＲＧＢ値）を設定する。これによって、第２作成部２０４Ｂは、第１質感データを生成する。なお、第２作成部２０４Ｂは、第１質感データにおける、紙質領域以外の画素のアルファ値には、アルファ値「０」（透過率１００％）を設定する。
【０１１８】
すなわち、第１質感データは、紙質領域データを構成する各画素に、画素値として、第１有色版画像データの各画素の画素値（ＲＧＢ値）を設定すると共に、アルファ値として、紙質領域を構成する各画素には取得部２００で取得した紙質の種類に対応するアルファ値（第２透過率）を設定し紙質領域以外の領域には透過率１００％を示すアルファ値を設定したデータである。
【０１１９】
さらに具体的には、図１８及び図１９に示すように、第２作成部２０４Ｂは、紙質領域データ（紙質領域データ３０８参照）によって特定される紙質領域を構成する各画素に、取得部２００で取得した紙質の種類に対応するアルファ値を設定した透過率データ３０８Ａを生成する。なお、上述したように、透過率データ３０８Ａにおける、紙質領域以外の領域を構成する画素のアルファ値は「０」（透過率１００％）とする。
【０１２０】
また、第２作成部２０４Ｂは、紙質領域データ３０８を構成する各画素に第１有色版画像データ３０２の各画素の画素値を設定した画像データ、すなわち、第１有色版画像データ３０２を読取る。そして、第２作成部２０４Ｂは、第１有色版画像データ３０２によって特定される各画素の画素値と、透過率データ３０８Ａによって特定される各画素のアルファ値と、を合成することで、第１質感データ３０８Ｂを生成する。
【０１２１】
図１２に戻り、第２作成部２０４Ｂは、表示前第２質感データによって特定される各透明領域を構成する画素に、表面効果の種類に対応するアルファ値（第３透過率）を設定した第２質感データ３０６Ｂを生成する。
【０１２２】
詳細には、第２作成部２０４Ｂは、表示前第２質感データによって特定される透明領域を構成する各画素に、アルファ値として、各画素の表面効果の種類に対応するアルファ値を設定する。なお、第２作成部２０４Ｂは、表示前第２質感データによって特定される透明領域を構成する各画素の画素値に対応する表面効果の種類を、第１記憶部２１０から読み取ることによって、表面効果の種類を特定する。そして、第２作成部２０４Ｂは、表面効果の種類に対応するアルファ値を、第２記憶部２１２から読み取る。そして、読み取ったアルファ値を、対応する画素のアルファ値として設定する。
【０１２３】
また、第２作成部２０４Ｂは、表示前第２質感データを構成する各画素に、第１有色版画像データの各画素の画素値（ＲＧＢ値）を設定する。これによって、第２作成部２０４Ｂは、第２質感データを生成する。
【０１２４】
すなわち、第２質感データは、表示前第２質感データを構成する各画素に、画素値として、第１有色版画像データの各画素の画素値（ＲＧＢ値）を設定すると共に、アルファ値として、透明領域を構成する各画素には表面効果の種類に対応するアルファ値（第３透過率）を設定し透明領域以外の領域には透過率１００％を示すアルファ値を設定したデータである。
【０１２５】
より具体的には、図１８に示すように、第２作成部２０４Ｂは、表示前第２質感データ（図１８中、表示前第２質感データ３０６参照）によって特定される透明領域を構成する各画素に、表面効果の種類に対応するアルファ値を設定した透過率データ３０６Ａを生成する。なお、上述したように、透過率データ３０６Ａにおける、透明領域以外の領域を構成する画素のアルファ値は、アルファ値「０」（透過率１００％）とする。
【０１２６】
また、第２作成部２０４Ｂは、表示前第２質感データ３０６を構成する各画素に第１有色版画像データ３０２の各画素の画素値を設定した画像データ、すなわち、第１有色版画像データ３０２を読取る。そして、第２作成部２０４Ｂは、第１有色版画像データ３０２によって特定される各画素の画素値と、透過率データ３０６Ａによって特定される各画素のアルファ値と、を合成することで、第２質感データ３０６Ｂを生成する。
【０１２７】
図１２に戻り、設定部２０６は、作成部２０４から、第２有色版画像データ、第１質感データ、及び第２質感データを受け付ける。そして、設定部２０６は、第２有色版画像データに、予め定めた反射率（第１反射率）及び光源種を設定する。また、設定部２０６は、第１質感データに、取得部２００で取得した紙質の種類（質感）に応じた反射率（第２反射率）及び光源種を設定する。また、設定部２０６は、第２質感データに、付与された表面効果の種類（質感）に応じた反射率（第３反射率）及び光源種を設定する。設定部２０６は、これらの反射率（第１反射率、第２反射率、第３反射率）及び光源種を、第３記憶部２１４及び第４記憶部２１６から取得する。
【０１２８】
そして、設定部２０６は、法線ベクトル、配置位置、反射率、及び光量を、表示時のパラメータとして設定し、表示制御部２０８へ出力する。
【０１２９】
具体的には、設定部２０６は、各表示面（有色表示面、第１質感面、及び第２質感面）の法線ベクトル、及びこれらの表示面の配置位置を記憶部１２から読み取る。
【０１３０】
本実施の形態では、配置位置としては、図２０に示す配置位置が予め定められ、記憶部１２に記憶されているものとする。
【０１３１】
本実施の形態では、有色表示面のｚ軸方向の配置位置を第１位置に定めている。第１位置は、固定値である。また、第１質感面については、第１位置に比べて、ｚ軸方向において表示画面を観察する観察者位置により近い位置を定めている。また、第２質感面については、第１位置に比べて、ｚ軸方向において表示画面を観察する観察者位置により近い位置を定めている。
【０１３２】
なお、各表示面の間隔や、各表示面の表示位置は、ユーザによる入力部１３の操作指示によって、任意の間隔に変更可能としてもよい。
【０１３３】
また、設定部２０６は、第２有色版画像データに、予め定めた反射率（第１反射率）及び光源種を設定する。具体的には、設定部２０６は、第３記憶部２１４に規定されている「原稿」に対応する反射率を、第２有色版画像データに対応する反射率として設定する。また、設定部２０６は、第４記憶部２１６に規定されている、予め「原稿」に対応づけた光源種に対応する光量を、第２有色版画像データに対応する光源種の光量として設定する。
【０１３４】
また、設定部２０６は、第１質感データに、取得部２００で取得した紙質の種類（質感）に応じた反射率（第２反射率）及び光源種を設定する。詳細には、設定部２０６は、取得部２００で取得した紙質の種類に対応する反射率、及び該紙質の種類に対応する光源種に応じた光量を、第３記憶部２１４及び第４記憶部２１６から読み取る。そして、設定部２０６は、第１質感データに、取得部２００で取得した紙質の種類（質感）に応じた反射率及び光源種を設定する。
【０１３５】
なお、第３記憶部２１４には、質感としての紙質の種類としては、布目紙、及びマット紙の２種類のみを示したが、他の紙質の種類についても同様に、反射率が設定されているものとする。
【０１３６】
また、設定部２０６は、第２質感データに、表面効果の種類（質感）に応じた反射率（第３反射率）及び光源種を設定する。具体的には、設定部２０６は、第３記憶部２１４に規定されている表面効果の種類の内、第２質感データによって特定される表面効果の種類に対応する反射率を、第２質感データに対応する反射率として設定する。また、設定部２０６は、第４記憶部２１６に規定されている光源種の内、第２質感データによって特定される表面効果の種類に対応づけた光源種に対応する光量を、第２質感データに対応する光源種の光量として設定する。
【０１３７】
なお、第３記憶部２１４には、質感としての表面効果の種類としては、鏡面光沢（ＰＧ）、およびつや消し（ＰＭ）の２種類のみを示したが、ベタ光沢（Ｇ）、及び網点マット（Ｍ）についても同様に、反射率が設定されている。また、各表面効果の種類は、更に、濃度毎の異なる種類のクリア処理を含むが、第３記憶部２１４においては、各クリア処理に対し、濃度によらず一定の反射率が対応付けられている。これは、ディスプレイ上において、３次元イメージを表示する際に反射率を濃度に応じて詳細に変更した場合に、その違いが視認できる程度に現れないためである。
【０１３８】
そして、設定部２０６は、第２有色版画像データ、第１質感データ、及び第２質感データと、これらのデータ毎に設定した、法線ベクトル、配置位置、反射率、及び光量等の表示時のパラメータを、表示制御部２０８へ出力する。
【０１３９】
表示制御部２０８は、作成部２０４から、第２有色版画像データ、第１質感データ、及び第２質感データと、これらのデータ毎に設定された表示時のパラメータを受け付ける。
【０１４０】
そして、表示制御部２０８は、第２有色版画像データ、第１質感データ、及び第２質感データについて、設定部２０６で設定された表示時のパラメータで表示した表示面（有色表示面、第１質感面、及び第２質感面）を、原稿データの画像形成結果を推定したプレビュー画像として表示部１４に表示する制御を行う。
【０１４１】
表示制御部２０８は、例えばＯｐｅｎＧＬ（Ｏｐｅｎ  Ｇｒａｐｈｉｃｓ  Ｌｉｂｒａｒｙ）などにより実現される。
【０１４２】
表示制御部２０８は、具体的には、設定部２０６から与えられた反射率（第１反射率）及び光量に基づいて、第２有色版画像データを編集し、編集後の第２有色版画像データを有色表示面に描画する。また、表示制御部２０８は、設定部２０６から与えられた反射率（第２反射率）及び光量に基づいて、第１質感面データを編集し、編集後の第１質感面データを第１質感面に描画する。また、表示制御部２０８は、設定部２０６から与えられた反射率（第３反射率）及び光量に基づいて、第２質感面データを編集し、編集後の第２質感面データを第２質感面に描画する。
【０１４３】
そして、表示制御部２０８は、描画された有色表示面、第１質感面、及び第２質感面を、それぞれの法線パラメータおよび配置位置に基づいて、３次元空間に配置する。すなわち、表示制御部２０８は、３次元空間の所定の位置に有色表示面を配置する。そして、表示制御部２０８は、ｚ軸上において、有色表示面よりも観察者側の位置に第１質感面を配置し、第１質感面よりも観察者側の位置に第２質感面を配置する。
【０１４４】
このため、各表示面は、ｚ軸方向において互いに異なる位置に配置される。表示制御部２０８は、こうして生成された３次元モデルを２次元面に投影したプレビュー画像を生成し、表示部１４に表示する制御を行う。
【０１４５】
図２１は、表示部１４に表示されるプレビュー画像のイメージ図である。例えば、入力部１３の操作指示によって、プレビュー画像処理部１２５が入力部１３のマウス右クリックなどの指示を受け付けると、表示制御部２０８は、プレビュー画像とともに、図２１に示すようなチェックボックスを表示する。ユーザがユーザインターフェースを利用してこのチェックボックスにおいて、表示面毎に示されているチェックボタン「＊」を外すと、表示制御部２０８は、非表示指示を受け付け、対応する表示面を非表示にする。また、逆にチェックボタンが表示されない状態において、再び対応するチェックボタンが選択されると、表示制御部２０８は、表示指示を受け付け、対応する表示面を非表示から表示に切り替える。
【０１４６】
次に、上記のように構成されたホスト装置１０による印刷データの生成処理について説明する。図２２は、ホスト装置１０による印刷データの生成処理の手順を示すフローチャートである。なお、以下に示す処理の例では、透明画像の指定がなく従ってクリア版画像データを生成しない場合の例で説明する。
【０１４７】
まず、入力制御部１２４が画像指定情報の入力を受け付けた場合（ステップＳ１１：Ｙｅｓ）、表示制御部１２１は、受け付けた画像指定情報で指定された画像を表示するように表示部１４を制御する（ステップＳ１２）。次に、入力制御部１２４が表面効果の指定情報の入力を受け付けた場合（ステップＳ１３：Ｙｅｓ）、版データ生成部１２２は、受け付けた指定情報に基づいて、光沢制御版画像データを生成する（ステップＳ１４）。
【０１４８】
ここで、ステップＳ１４における光沢制御版画像データの生成処理の詳細について説明する。図２３は、光沢制御版画像データ生成処理の手順を示すフローチャートである。まず、版データ生成部１２２は、指定情報により対象画像に対して表面効果が付与された描画オブジェクトとその座標を特定する（ステップＳ３１）。描画オブジェクトとその座標の特定は、例えば、画像処理部１２０が対象画像に描画オブジェクトを描画する際のオペレーティングシステム等で提供される描画コマンドおよび描画コマンドで設定された座標値等を用いて行われる。
【０１４９】
次に、版データ生成部１２２は、記憶部１２に保存されている濃度値選択テーブルを参照して、指定情報でユーザが付与した表面効果に対応する光沢制御値としての濃度値を決定する（ステップＳ３２）。
【０１５０】
そして、版データ生成部１２２は、光沢制御版画像データ（当初は空データ）に、描画オブジェクトと、表面効果に対応して決定された濃度値とを対応付けて登録する（ステップＳ３３）。
【０１５１】
次に、版データ生成部１２２は、対象画像に存在する全ての描画オブジェクトに対して上記ステップＳ３１からＳ３３までの処理を完了したか否かを判断する（ステップＳ３４）。そして、まだ完了していない場合には（ステップＳ３４：Ｎｏ）、版データ生成部１２２は、対象画像中でまだ未処理の次の描画オブジェクトを選択して（ステップＳ３５）、ステップＳ３１からＳ３３までの処理を繰り返し実行する。
【０１５２】
そして、ステップＳ３４において、対象画像中の全ての描画オブジェクトに対してステップＳ３１からＳ３３までの処理を完了したと判断された場合には（ステップＳ３４：Ｙｅｓ）、版データ生成部１２２は、光沢制御版の生成を完了する。これにより図４に示す光沢制御版画像データは生成される。図２４は、図４の光沢制御版画像データにおける、描画オブジェクト、座標および濃度値の対応関係を示す図である。
【０１５３】
図２２に戻り、光沢制御版画像データが生成されると、版データ生成部１２２は、光沢制御版画像データと対象画像の画像データ（第１有色版画像データ）とを統合した原稿データを生成して印刷データ生成部１２３へ渡す。そして、印刷データ生成部１２３は、原稿データに基づいて印刷データを生成する（ステップＳ１５）。以上により、印刷データが生成される。
【０１５４】
次に、プレビュー画像処理部１２５が実行するプレビュー画像生成処理の手順を説明する。
【０１５５】
図２５は、プレビュー画像処理部１２５によるプレビュー画像生成処理の手順を示すフローチャートである。
【０１５６】
まず、プレビュー画像処理部１２５が、版データ生成部１２２から原稿データを取得する（ステップＳ１００）。
【０１５７】
次に、取得部２００が、入力部１３から、画像形成対象の紙の紙質の種類を取得する（ステップＳ１０２）。
【０１５８】
次に、分離部２０２Ａが、原稿データから、第１有色版画像データを分離する(ステップＳ１０４)。また、分離部２０２Ａは、原稿データから、グレイスケールデータを抽出する。
【０１５９】
次に、生成部２０２Ｂが、紙質領域データを生成する（ステップＳ１０６）。次に、第１作成部２０４Ａが、抽出部２０２で抽出された第１有色版画像データに不透過を示すアルファ値「２５５」（透過率「０」％）を設定した、第２有色版画像データを生成する（ステップＳ１０８）。
【０１６０】
次に、第２作成部２０４Ｂが、紙質領域データを構成する各画素に、第１有色版画像データの各画素の画素値を設定すると共に、該紙質領域データによって特定される紙質領域を構成する各画素に取得部２００で取得した紙質の種類に対応するアルファ値を設定することで、第１質感データを生成する（ステップＳ１１０）。
【０１６１】
次に、第２作成部２０４Ｂが、グレイスケールデータから生成した表示前第２質感データを構成する各画素に、第１有色版画像データの各画素の画素値を設定すると共に、表示前第２質感データによって特定される各透明領域を構成する画素に、表面効果の種類に対応するアルファ値を設定した、第２質感データを生成する（ステップＳ１１２）。
【０１６２】
次に、設定部２０６が、各表示面の法線ベクトルを設定する（ステップＳ１１４）。さらに、設定部２０６は、第２有色版画像データ、第１質感データ、及び第２質感データの各々の表示面に、反射率（第１反射率、第２反射率、第３反射率）を設定する（ステップＳ１１６）。
【０１６３】
更に、設定部２０６が、第２有色版画像データ、第１質感データ、及び第２質感データの各々の表示面の配置位置を設定し（ステップＳ１１８）、さらに、各表示面に対する光源の光量を設定する（ステップＳ１２０）。
【０１６４】
そして、表示制御部２０８は、第２有色版画像データ、第１質感データ、及び第２質感データについて、設定部２０６で設定された表示時のパラメータで表示した表示面（有色表示面、第１質感面、及び第２質感面）を、原稿データの画像形成結果を推定したプレビュー画像として表示部１４に表示する制御を行う（ステップＳ１２２）。
【０１６５】
次に、取得部２００は、紙質の種類の変更指示有りか否かを判断する（ステップＳ１２４）。例えば、取得部２００は、入力部１３から、前回取得した紙質の種類とは異なる種類を受け付けたか否かを判別することによって、ステップＳ１２４の判断を行う。
【０１６６】
ステップＳ１２４で肯定判断すると（ステップＳ１２４：Ｙｅｓ）、上記ステップＳ１１０へ戻り、ステップＳ１２４で取得した紙質の種類を用いて上記ステップＳ１１０〜ステップＳ１２２の処理を実行する。一方、ステップＳ１２４で否定判断すると（ステップＳ１２４：Ｎｏ）、本ルーチンを終了する。
【０１６７】
上記処理を実行することによって、例えば、図２０に示すプレビュー画像が表示される。
【０１６８】
ここで、上述したように、有色表示面と、第１質感面、及び第２質感面の各画素には、同じ画素値（ＲＧＢ値）が設定されている。しかし、これらの有色表示面、第１質感面、及び第２質感面の各々には、異なる反射率（第１反射率、第２反射率、第３反射率）が設定されている。このため、各表示面において光源からの光により得られる視覚効果は、同じ視覚効果とはならず、異なる視覚効果となる。
【０１６９】
具体的には、有色表示面、第１質感面、及び第２質感面は、各々、設定された反射率が互いに異なるので、光の反射が生じる部分において、表示制御部２０８により生成される画像の明るさは異なる。
【０１７０】
例えば、有色表示面の鏡面光反射率が０．２であり、第１質感面（紙質の種類が「布目紙」）の鏡面光反射率が０．３であったとする。そして、第１質感面の紙質領域のアルファ値として不透過を示すアルファ値が設定されていたとする。この場合には、表示制御部２０８は、相対的に暗く光源からの光が反射した有色表示面を表示し、相対的に明るく光源からの光が反射した第１質感面を表示することとなる。
【０１７１】
ここで、各表示面（有色表示面、第１質感面、第２質感面）には、アルファ値が設定されているため、実際には、図２６に示すプレビュー画像が表示されることとなる。
【０１７２】
図２６は、プレビュー画像の一例を示す模式図である。
【０１７３】
図２６では、有色表示面よりも観察者側の位置に第１質感面を配置したプレビュー画像の一例を示している。なお、実際には、有色表示面と第１質感面とのｚ軸方向における表示位置は、図２６に示す例より近いことが好ましい。なお、アルファ値（α）は、８ｂｉｔで示され、０以上２５５以下の値を示す。また、第１質感面と有色表示面の各画素の画素値（ＲＧＢ値）は同じであるが、アルファ値（透過率）及び反射率が異なる。
【０１７４】
プレビュー画像を視認する観察者側（視点位置側）からプレビュー画像に向かって入射した光Ｌ１は、第１質感面におけるアルファ値「２５５」（透過率０％）の領域で反射する。このため、プレビュー画像を視認する観察者側には、該領域においては、第１質感面におけるアルファ値「２５５」（透過率０％）の領域が視認され、その後方に配置されている有色表示面は視認されない（すなわち、有色表示面の影響が０％）。すなわち、図２６では、プレビュー画像における、第１質感面のアルファ値「２５５」（透過率０％）の領域においては、該領域の反射率設定が１００％適用された画像が視認されることとなる。
【０１７５】
また、プレビュー画像を視認する観察者側からプレビュー画像に向かって入射した光Ｌ２は、第１質感面におけるアルファ値「１２８」（透過率５０％）の領域で５０％反射し、５０％透過する。このため、プレビュー画像を視認する観察者側には、該領域においては、第１質感面におけるアルファ値「１２８」（透過率５０％）の領域と、その後方に配置されている有色表示面の領域と、が視認されることとなる。すなわち、図２６では、プレビュー画像における、第１質感面のアルファ値「１２８」（透過率５０％）の領域においては、該領域の反射率設定５０％と、その後方に配置された有色表示面における領域の反射率設定５０％と、を合成した画像が視認されることとなる。
【０１７６】
また、プレビュー画像を視認する観察者側からプレビュー画像に向かって入射した光Ｌ３は、第１質感面におけるアルファ値「０」（透過率１００％）の領域を透過する。このため、プレビュー画像を視認する観察者側には、該領域においては、第１質感面におけるアルファ値「０」（透過率１００％）の領域は視認されず、その後方に配置されている有色表示面が視認されることとなる（すなわち、有色表示面の影響が１００％）。すなわち、図２６では、プレビュー画像における、第１質感面のアルファ値「０」（透過率１００％）の領域においては、該領域の後方に配置された有色表示面の反射率設定が１００％適用された画像が視認されることとなる。
【０１７７】
このため、第１質感面に設定されたアルファ値によって、プレビュー画像における質感が調整されることとなる。
【０１７８】
ここで、第１質感面に設定された光の反射率（第２反射率）が、有色表示面に設定された光の反射率（第１反射率）より大きい場合、プレビュー画像においては、第１質感面に設定されたアルファ値（第２透過率）の値が大きい（より透過率が小さい）領域ほど、より明るい画像となる。逆に、第１質感面に設定されたアルファ値の値が小さい（より透過率が大きい）ほど、プレビュー画像においては暗い画像となる。
【０１７９】
すなわち、表示されたプレビュー画像の各画素の画素値は、下記式（１）によって示される。
【０１８０】
プレビュー画像の画素値＝光の反射効果を加えた第１質感面の画素値×（α／２５５)
＋光の反射効果を加えた有色表示面の画素値×（１−α／２５５)
・・・式（１）
【０１８１】
そして、第１質感面に設定されるアルファ値（第２透過率）は、上述したように、画像形成対象の紙の紙質の種類に応じた値である。このため、画像形成対象の紙の紙質の種類によって、プレビュー画像に含まれる表示面（有色表示面、第１質感面、第２質感面）の画素毎の、光の反射効果を加えた画素値の合成比率が変化することとなる。
【０１８２】
以上説明したように、本実施の形態では、第１透過率を設定すると共に第１反射率の設定された第２有色版画像データの表示された有色表示面と、画像形成対象の紙の紙質の種類に応じた第２透過率を設定すると共に該紙質の種類に応じた第２反射率の設定された第１質感データの表示された第１質感面と、を重ねた画像を、プレビュー画像として表示する。
【０１８３】
このため、本実施の形態では、紙質の種類によって第１質感面に設定されたアルファ値（第２透過率）の値によって、プレビュー画像に含まれる、第１反射率の設定された有色表示面、及び第２反射率の設定された第１質感面の各画素の画素値の合成比率（すなわち、アルファブレンドによる合成比率）を、容易に調整することができる。
【０１８４】
従って、本実施の形態では、容易に、紙質の種類に応じたプレビュー画像を提供することができる。
【０１８５】
また、本実施の形態では、さらに、透明現像剤を用いて形成する透明領域を示す特色版画像データから、付与する表面効果の種類に応じた第３透過率を設定すると共に、該表面効果の種類に応じた第３反射率の設定された第２質感データの表示された第２質感面を更に含む画像を、プレビュー画像として表示することもできる。
【０１８６】
このため、本実施の形態では、上記効果に加えて更に、透明現像剤によるクリア処理の施された印刷結果のイメージを、容易に提供することができる。
【０１８７】
また、本実施の形態では、プレビュー画像として、３次元イメージ画像としてのプレビュー画像を生成する。また、プレビュー画像においては、第１有色版画像データが描画された有色表示面をｚ軸方向において観察者位置から最も遠い位置に配置し、より観察者側の位置に紙質領域の表示面を配置した３次元モデルを２次元面に投影された状態で表示するので、印刷結果の確認者は、印刷処理の対象となる対象画像のイメージと、紙質の種類のイメージと、クリア処理が施された印刷結果のイメージとを容易に把握することができる。
【０１８８】
また、本実施の形態では、有色表示面と第１質感面の反射率の設定において、鏡面光反射率、拡散光反射率、及び環境光反射率の内、鏡面光反射率のみが異なる値となるように予め反射率を第３記憶部２１４に記憶することで、光の反射する領域についてのみ、紙質の種類に応じた質感を表示することができる。
【０１８９】
例えば、第１質感面に設定された鏡面光反射率が、有色表示面に設定された鏡面光反射率より大きい場合、プレビュー画像においては、第１質感面に設定されたアルファ値の値が大きい（より透過率が小さい）領域ほど、より明るい画像となる。逆に、第１質感面に設定されたアルファ値の値が小さい（より透過率が大きい）ほど、プレビュー画像は暗い画像となる。
【０１９０】
また、環境光反射率だけが異なる場合は、あらゆる方向への反射であるので、光源および視点の位置による光の反射位置に依らず、常に質感が表現できる。また、鏡面光反射率と環境光反射率を異なるものにして効果をくみあわせてもよい。
【０１９１】
なお、本実施の形態では、光沢制御版画像データは、１種類の表面効果の種類が設定されている場合を説明した。しかし、光沢制御版画像データは、複数種類の表面効果の種類が設定されていてもよい。
【０１９２】
この場合には、抽出部２０２は、表面効果の種類毎に、表示用第２質感データを抽出すればよい。そして、作成部２０４は、表面効果の種類毎に、第２質感データを生成し、設定部２０６は、各表面効果の種類毎に生成された第２質感データ毎に、表示用のパラメータを設定すればよい。
【０１９３】
また、この場合には、配置位置は、クリア処理の種類に基づいてｚ軸方向の配置位置を定めればよい。具体的には、表面効果の濃度が高くなるほどより観察者位置に近い位置を配置位置として定めればよい。また、特色版画像データが、更に、透明画像を規定したクリア版画像データを含む場合には、クリア版画像データに対応する表示面は、最も観察者位置に近い位置を配置位置として定めればよい。
【０１９４】
なお、本実施の形態では、第２記憶部２１２（図１４参照）は、各質感種に対応するアルファ値を予め記憶する場合を説明した。しかし、第２記憶部２１２は、アルファ値に替えて、各質感種に対応する紙質の種類を示す画像、及び表面効果の種類を示す画像を記憶してもよい。なお、以下、各質感種に対応する紙質の種類を示す画像、及び表面効果の種類を示す画像を、パターン画像と称する。
【０１９５】
そして、第２作成部２０４Ｂは、第２記憶部２１２に記憶されている各質感種に対応するパターン画像の画素値を、下記式（２）から算出し、アルファ値として用いてもよい。
【０１９６】
ｙ＝ｍｘ＋ｎ      ・・・式（２）
【０１９７】
式（２）中、ｘは、パターン画像の画素値を示す。ｍは、パターン画像の画素値に対する質感の変化の割合を示す。また、ｎは、プレビュー画像における第１質感面及び第２質感面の各々の影響（見えやすさ）の大きさを示す。これにより新しいパターン画像の画素値yが定まる。ただし、ｙが画素値の最大値を超えたときは、画素値の最大値に、最小値を下回ったときは最小値に変更する。
【０１９８】
式（２）に示されるように、ｍが１以上であると、パターン画像の画素値に対する質感の変化の割合が大きくなることから、隣接する画素値の変化量が大きくなり、質感が強調され、ｍが１未満では、パターン画像の画素値に対する質感の変化の割合が小さくなることから、隣接する画素値の変化量が小さくなり、質感が目立たなくなる。また、ｎが正の値である場合は、プレビュー画像における第１質感面及び第２質感面の影響が大きくなり、ｎが負の値である場合は、プレビュー画像における第１質感面及び第２質感面の影響が小さくなる。
【０１９９】
このため、ｍ及びｎの値を予め設定し、ユーザによる入力部１３の操作指示によって変更可能とすれば、プレビュー画像における、質感の変化や影響を容易に制御することができる。
【０２００】
次に、第１プリンタ制御装置５０の機能的構成について説明する。第１プリンタ制御装置５０は、図２７に例示されるように、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、表面効果選択テーブル（不図示）とを有する。レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７とは、第１プリンタ制御装置５０の制御部が主記憶部や補助記憶部に記憶されている各種プログラムを実行することにより実現されるものである。ｓｉ１部５２、ｓｉ２部５４及びｓｉ３部５７はいずれも、画像データを分離する（ｓｅｐａｒａｔｅ）機能と、画像データを統合する（ｉｎｔｅｇｒａｔｅ）機能とを有するものである。表面効果選択テーブルは例えば補助記憶部に記憶されるものである。
【０２０１】
レンダリングエンジン５１には、ホスト装置１０から送信された画像データ（例えば、図１０に示した印刷データ）が入力される。レンダリングエンジン５１は、入力された画像データを言語解釈して、ベクタ形式で表現される画像データをラスタ形式に変換すると共に、ＲＧＢ形式等で表現された色空間をＣＭＹＫ形式の色空間に変換して、ＣＭＹＫの色版の各８ビットの画像データ及び８ビットの光沢制御版を出力する。ｓｉ１部５２は、ＣＭＹＫの各８ビットの画像データをＴＲＣ５３に出力し、８ビットの光沢制御版をクリアプロセッシング５６に出力する。ここで、第１プリンタ制御装置５０は、ホスト装置１０から出力されたベクタ形式の光沢制御版画像データをラスタ形式に変換し、この結果、第１プリンタ制御装置５０は、ユーザが画像処理アプリケーションにより指定した描画オブジェクトに対する表面効果の種類を、画素を単位として濃度値として設定して光沢制御版画像データを出力する。
【０２０２】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機７０でのせることが可能なトナー量に限界があるため、ガンマ補正後のＣＭＹＫ各８ビットの画像データを制限する処理である。ちなみに、総量規制を越えて印刷した場合、転写不良や定着不良により画質が劣化してしまう。当実施例では関連するガンマ補正のみを取り上げて説明している。
【０２０３】
ｓｉ２部５４は、ＴＲＣ５３でガンマ補正されたＣＭＹＫの各８ビットの画像データを、インバースマスク（後述する）を生成するためのデータとしてクリアプロセッシング５６へ出力する。ハーフトーンエンジン５５には、ｓｉ２部５４を介してガンマ補正後のＣＭＹＫの各８ビットの画像データが入力される。ハーフトーンエンジン５５は、入力された画像データをプリンタ機７０に出力するための、例えばＣＭＹＫの各２ビット等の画像データのデータ形式に変換するハーフトーン処理を行い、ハーフトーン処理後のＣＭＹＫ各２ビット等の画像データを出力する。なお、２ビットは一例であり、これに限定されるものではない。
【０２０４】
クリアプロセッシング５６には、レンダリングエンジン５１が変換した８ビットの光沢制御版がｓｉ１部５２を介して入力されると共に、ＴＲＣ５３がガンマ補正を行ったＣＭＹＫの各８ビットの画像データがｓｉ２部５４を介して入力される。クリアプロセッシング５６は、入力された光沢制御版を用いて、後述の表面効果選択テーブルを参照して、光沢制御版を構成する各画素の表す濃度値（画素値）に対する表面効果を判断して、当該判断に応じて、グロッサ８０のオン又はオフを決定すると共に、入力されたＣＭＹＫの各８ビットの画像データを用いてインバースマスクやベタマスクを適宜生成することにより、クリアトナーを付着させるための２ビットのクリアトナー版画像データを適宜生成する。そして、表面効果の判断の結果に応じて、クリアプロセッシング５６は、プリンタ機７０で用いるクリアトナー版画像データと、低温定着機９０で用いるクリアトナー版画像データとを適宜生成してこれらを出力すると共に、グロッサ８０のオン又はオフを示すオンオフ情報を出力する。
【０２０５】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版画像データにおいて当該対象の領域を構成する画素の表す濃度値を全て加算し、その加算値を所定値から差し引いた画像データがインバースマスクとなる。例えば、上述のインバースマスクは以下の式（３）で表される。
【０２０６】
Ｃｌｒ＝１００−（Ｃ＋Ｍ＋Ｙ＋Ｋ）  但し、Ｃｌｒ＜０となる場合、Ｃｌｒ＝０                                                                      ・・・式（３)
【０２０７】
式（３）において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式（３）によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式（３）以外により求められるものがあり、インバースマスクの種類は複数有り得る。
【０２０８】
例えば、インバースマスクは、各画素にクリアトナーを均一に付着させるものであってもよい。この場合のインバースマスクは、ベタマスクともいい、以下の式（４）で表される。
【０２０９】
Ｃｌｒ＝１００・・・式（４)
【０２１０】
なお、表面効果を与える対象の画素の中でも、１００％以外の濃度率が対応付けられるものがあるようにしても良く、ベタマスクのパターンは複数有り得る。
【０２１１】
また、例えばインバースマスクは、各色の地肌露出率の乗算により求められるものであってもよい。この場合のインバースマスクは、例えば以下の式（５）で表される。
【０２１２】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・式（５)
【０２１３】
上記式（５）において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【０２１４】
また、例えばインバースマスクは、最大面積率の網点が平滑性を律すると仮定した方法により求められるものであってもよい。この場合のインバースマスクは、例えば以下の式（６）で表される。
【０２１５】
Ｃｌｒ＝１００−ｍａｘ（Ｃ，Ｍ，Ｙ，Ｋ）・・・式（６)
【０２１６】
上記式（６）において、ｍａｘ（Ｃ，Ｍ，Ｙ，Ｋ）は、ＣＭＹＫのうち最大の濃度値を示す色の濃度値が代表値となることを示す。
【０２１７】
要するに、インバースマスクは、上記式（３）〜式（６）の何れかの式により表されるものであればよい。
【０２１８】
表面効果選択テーブルは、表面効果を示す光沢制御値としての濃度値と当該表面効果の種類の対応関係を示すと共に、これらと、画像形成システム１の構成に応じた後処理機に関する制御情報と、プリンタ機７０で用いるクリアトナー版画像データ及び後処理機で用いるクリアトナー版画像データとの対応関係を示すテーブルである。画像形成システム１の構成は、様々に異なり得るが、本実施の形態においては、プリンタ機７０に後処理機としてグロッサ８０及び低温定着機９０が接続される構成である。このため、画像形成システム１の構成に応じた後処理機に関する制御情報とは、グロッサ８０のオン又はオフを示すオンオフ情報となる。また、後処理機で用いるクリアトナー版画像データとしては、低温定着機９０で用いるクリアトナー版画像データがある。
【０２１９】
図２８は、表面効果選択テーブルのデータ構成を例示する図である。なお、表面効果選択テーブルは、異なる画像形成システム１の構成毎に、後処理機に関する制御情報と、プリンタ機７０で用いるクリアトナー版１の画像データ及び後処理機で用いるクリアトナー版２の画像データと、濃度値及び表面効果の種類との対応関係を示すように構成され得る。なお、図２８では、本実施の形態に係る画像形成システム１の構成に応じたデータ構成を例示している。
【０２２０】
同図に示される表面効果の種類及び濃度値の対応関係においては、濃度値の数値範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面光沢及びベタ光沢）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋、透かしなどの表面効果が対応付けられている。
【０２２１】
より具体的には、例えば、「２３８」〜「２５５」の画素値に対しては表面効果として鏡面光沢（ＰＧ：Ｐｒｅｍｉｕｍ  Ｇｒｏｓｓ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢（Ｇ：Ｇｒｏｓｓ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（Ｍ：Ｍａｔｔ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（ＰＭ：Ｐｒｅｍｉｕｍ  Ｍａｔｔ）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や低温定着機９０で使用するクリアトナー版画像データを求める式に違いがあり、プリンタ本体や後処理機の動作は同じである。なお、「０」の濃度値には、表面効果を与えないことが対応付けられている。
【０２２２】
また、図２８には、画素値及び表面効果に対応して、グロッサ８０のオン又はオフを示すオンオフ情報と、プリンタ機７０で用いるクリアトナー版１の画像データ（図１のＣｌｒ−１）及び低温定着機９０で用いるクリアトナー版２の画像データの内容とが各々示されている。例えば、表面効果が鏡面光沢である場合、グロッサ８０をオンにすることが示されると共に、プリンタ機７０で用いるクリアトナー版１の画像データは、インバースマスクを表すものであり、低温定着機９０で用いるクリアトナー版２の画像データ（図１のＣｌｒ−２）は、ないことが示されている。当該インバースマスクは、例えば上述した式（３）により求められるものである。なお、図２８に示される例は、表面効果として鏡面光沢が指定された領域が、画像データによって規定される領域全体に相当する場合の例である。表面効果として鏡面光沢が指定された領域が、画像データによって規定される領域の一部に相当する場合の例については後述する。
【０２２３】
また、濃度値が「２１２」〜「２３２」であり表面効果がベタ光沢である場合、グロッサ８０をオフにすることが示されていると共に、プリンタ機７０で用いるクリアトナー版１の画像データは、インバースマスクであり、低温定着機９０で用いるクリアトナー版２の画像データは、ないことが示されている。
【０２２４】
なお、当該インバースマスクは、上記式３〜式６の何れかの式により表されるものであればよい。これはグロッサ８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサ８０をオフにすることが示されていると共に、プリンタ機７０で用いるクリアトナー版１の画像データは、ハーフトーン（網点）を表すものであり、低温定着機９０で用いるクリアトナー版２の画像データは、ないことが示されている。また、表面効果がつや消しである場合、グロッサ８０をオン又はオフのいずれにしても良いことが示されていると共に、プリンタ機７０で用いるクリアトナー版１の画像データは、なく、低温定着機９０で用いるクリアトナー版２の画像データは、ベタマスクを表すものであることが示されている。当該ベタマスクは、例えば上述の式４により求められるものである。
【０２２５】
クリアプロセッシング５６は、上述した表面効果選択テーブルを参照して、光沢制御版によって示される各画素値に対応付けられている表面効果を判断すると共に、グロッサ８０のオン又はオフを判断して、プリンタ機７０及び低温定着機９０でどのようなクリアトナー版画像データを用いるかを判断する。なお、クリアプロセッシング５６は、グロッサ８０のオン又はオフの判断を１ページ毎に行う。そして、上述したように、クリアプロセッシング５６は、当該判断の結果に応じて、クリアトナー版画像データを適宜生成してこれを出力すると共に、グロッサ８０に対するオンオフ情報を出力する。
【０２２６】
ｓｉ３部５７は、ハーフトーン処理後のＣＭＹＫの各２ビットの画像データと、クリアプロセッシング５６が生成した２ビットのクリアトナー版画像データとを統合し、統合した画像データを第２プリンタ制御装置６０に出力する。なお、クリアプロセッシング５６は、プリンタ機７０で用いるクリアトナー版画像データ及び低温定着機９０で用いるクリアトナー版画像データのうち少なくとも一方を生成しない場合があるので、クリアプロセッシング５６が生成した方のクリアトナー版画像データがｓｉ３部５７で統合され、両方のクリアトナー版画像データをクリアプロセッシング５６が生成していない場合には、ｓｉ３部５７からはＣＭＹＫの各２ビットの画像データが統合された画像データが出力される。この結果、第１プリンタ制御装置５０からは各々２ビットの４つ〜６つの画像データが第２プリンタ制御装置６０へ送り出されることになる。また、ｓｉ３部５７は、クリアプロセッシング５６が出力したグロッサ８０に対するオンオフ情報も第２プリンタ制御装置６０に出力する。
【０２２７】
第２プリンタ制御装置６０は、第１プリンタ制御装置５０とプリンタ機７０とに接続される。第２プリンタ制御装置６０は、後処理機として搭載されている装置構成を示す装置構成情報を第１プリンタ制御装置５０に出力する。また、第２プリンタ制御装置６０は、色版画像データ、クリアトナー版画像データを第１プリンタ制御装置５０から受信して各画像データを対応する装置に振り分けるとともに、後処理機の制御を行う。より具体的には、第２プリンタ制御装置６０は、図２９に例示されるように、第１プリンタ制御装置５０から出力された画像データのうちＣＭＹＫの色版画像データをプリンタ機７０に出力し、プリンタ機７０で用いるクリアトナー版画像データがある場合にはこれもプリンタ機７０に出力し、第１プリンタ制御装置５０から出力されたオンオフ情報を用いて、グロッサ８０をオン又はオフにして、低温定着機９０で用いるクリアトナー版画像データがある場合にはこれを低温定着機９０に出力する。グロッサ８０はオンオフ情報によって定着を行う経路と行わない経路とを切り替えても良い。低温定着機９０はクリアトナー版画像データの有無によってオン又はオフの切り替えやグロッサ８０と同様の経路の切り替えをしても良い。
【０２２８】
また、図２９に示すように、プリンタ機７０、グロッサ８０、低温定着機９０からなる印刷装置は、記録媒体を搬送する搬送路を備えている。なお、プリンタ機７０は、詳細には、電子写真方式の複数の感光体ドラム、感光体ドラム上に形成されたトナー像を転写される転写ベルト、転写ベルト上のトナー像を記録媒体に転写する転写装置、及び記録媒体上のトナー像を該記録媒体に定着させる定着機を備える。記録媒体は、図示を省略する搬送部材によって搬送路を搬送されることで、プリンタ機７０、グロッサ８０、低温定着機９０の設けられている位置を、この順に搬送される。そして、これらの機器によって順次処理が行われて画像形成及び表面効果が付与された後に、図示を省略する搬送機構によって搬送路を搬送されて、印刷装置の外部へと排出される。
【０２２９】
次に、本実施の形態に係る画像形成システム１が行う光沢制御処理の手順について図３０を用いて説明する。第１プリンタ制御装置５０がホスト装置１０から画像データを受信すると（ステップＳ１）、レンダリングエンジン５１は、これを言語解釈して、ベクタ形式で表現される画像データをラスタ形式に変換すると共に、ＲＧＢ形式で表現された色空間をＣＭＹＫ形式の色空間に変換して、ＣＭＹＫの色版の各８ビットの画像データ及び８ビットの光沢制御版画像データを得る（ステップＳ２）。
【０２３０】
ここで、ステップＳ２における、光沢制御版画像データの変換処理の詳細について説明する。図３１は、光沢制御版画像データの変換処理の手順を示すフローチャートである。この変換処理では、光沢制御版画像データ、すなわち、描画オブジェクトごとに表面効果を特定する濃度値が指定された光沢制御版画像データを、描画オブジェクトを構成する画素ごとに濃度値が指定された光沢制御版画像データに変換する。
【０２３１】
レンダリングエンジン５１は、光沢制御版の描画オブジェクトに対応する座標の範囲の画素に対して、描画オブジェクトに対して設定された濃度値を付与することにより（ステップＳ４１）、光沢制御版画像データを変換する。そして、かかる処理を光沢制御版画像データに存在する全ての描画オブジェクトに対して完了したか否かを判断する（ステップＳ４２）。
【０２３２】
そして、レンダリングエンジン５１は、まだ完了していない場合には（ステップＳ４２：Ｎｏ）、光沢制御版画像データの中でまだ未処理の次の描画オブジェクトを選択し（ステップＳ４４）、ステップＳ４１の処理を繰り返す。
【０２３３】
一方、ステップＳ４２において、光沢制御版画像データ中の全ての描画オブジェクトに対してステップＳ４１の処理を完了している場合には（ステップＳ４２：Ｙｅｓ）、変換された光沢制御版画像データを出力する（ステップＳ４３）。以上の処理により、光沢制御版画像データは、画素ごとに表面効果が設定されたデータに変換されることになる。
【０２３４】
図３０に戻り、８ビット光沢制御版画像データが出力されたら、第１プリンタ制御装置５０のＴＲＣ５３は、ＣＭＹＫの色版の各８ビットの画像データに対してキャリブレーションにより生成された１Ｄ＿ＬＵＴのガンマカーブでガンマ補正を行い、ハーフトーンエンジン５５はガンマ補正後の画像データに対して、プリンタ機７０に出力するためのＣＭＹＫ各２ビットの画像データのデータ形式に変換するハーフトーン処理を行い、ハーフトーン処理後のＣＭＹＫの各２ビットの画像データを得る（ステップＳ３）。
【０２３５】
また、第１プリンタ制御装置５０のクリアプロセッシング５６は、８ビットの光沢制御版画像データを用いて、表面効果選択テーブルを参照して、光沢制御版画像データによって示される各画素値に対して指定された表面効果を判断する。そして、クリアプロセッシング５６は、光沢制御版を構成する全ての画素について、このような判断を行う。なお、光沢制御版画像データにおいては、各表面効果を与える領域を構成する全ての画素について基本的に同一の範囲の濃度値を表す。このため、同一の表面効果であると判断した近傍の画素については、クリアプロセッシング５６は、同一の表面効果を与える領域に含まれるものとして判断する。このようにして、クリアプロセッシング５６は、表面効果を与える領域と、当該領域に対して与える表面効果の種類とを判断する。そして、クリアプロセッシング５５は、当該判断に応じて、グロッサ８０のオン又はオフを決定する（ステップＳ４）。
【０２３６】
次に、第１プリンタ制御装置５０のクリアプロセッシング５６は、ガンマ補正後のＣＭＹＫの各８ビットの画像データを適宜用いて、クリアトナーを付着させるための８ビットのクリアトナー版画像データを適宜生成する（ステップＳ５）。そして、ハーフトーンエンジン５６は、ハーフトーン処理により、８ビットの画像データを用いた８ビットのクリアトナー版画像データを２ビットのクリアトナー版画像データに変換する（ステップＳ６）。
【０２３７】
次に、第１プリンタ制御装置５０のｓｉ３部５７は、ステップＳ３で得たハーフトーン処理後のＣＭＹＫの各２ビットの画像データと、ステップＳ６で生成した２ビットのクリアトナー版画像データとを統合し、統合した画像データと、ステップＳ４で決定したグロッサ８０のオン又はオフを示すオンオフ情報とを第２プリンタ制御装置６０に対して出力する（ステップＳ７）。
【０２３８】
なお、ステップＳ５で、クリアプロセッシング５６は、クリアトナー版画像データを生成していない場合には、ステップＳ７では、ステップＳ３で得たハーフトーン処理後のＣＭＹＫの各２ビットの画像データのみが統合されて第２プリンタ制御装置６０に出力される。
【０２３９】
ここで、表面効果の種類に応じた具体例について説明する。ここでは、光沢を与えるための鏡面光沢及びベタ光沢と、光沢を抑えるための網点マット及びつや消しとの各種類について具体的に説明する。また、ここでは、１ページ内で同一種類の表面効果が指定された場合について説明する。
【０２４０】
ステップＳ４では、第１プリンタ制御装置５０のクリアプロセッシング５６は、８ビットの光沢制御版の各画素の表す濃度値を用いて、図２８に例示される表面効果選択テーブルを参照して、濃度値が「２３８」〜「２５５」である画素に対して指定された表面効果は、鏡面光沢であると判断する。この場合、更に、第１プリンタ制御装置５０のクリアプロセッシング５６は、表面効果として鏡面光沢が指定された領域が、画像データによって規定される領域全体に相当するか否かを判断する。
【０２４１】
当該判断結果が肯定的である場合、第１プリンタ制御装置５０のクリアプロセッシング５６は、ガンマ補正後のＣＭＹＫの各８ビットの画像データにおいて当該領域に対応する画像データを用いて、例えば式（３）によりインバースマスクを生成する。当該インバースマスクを表すものが、プリンタ機７０で用いるクリアトナー版画像データとなる。
【０２４２】
なお、当該領域に対して低温定着機９０ではクリアトナー版画像データを用いないため、第１プリンタ制御装置５０は、低温定着機９０で用いるクリアトナー版画像データを生成しない。そして、ステップＳ７では、第１プリンタ制御装置５０のｓｉ３部５７は、プリンタ機７０で用いるクリアトナー版画像データと、ステップＳ３で得たハーフトーン処理後のＣＭＹＫの各２ビットの画像データと、を統合し、統合した画像データと、グロッサ８０のオンを示すオンオフ情報とを第２プリンタ制御装置６０に出力する。
【０２４３】
第２プリンタ制御装置６０は、第１プリンタ制御装置５０から出力された画像データであるＣＭＹＫの色版画像データ及びプリンタ機７０で用いるクリアトナー版画像データをプリンタ機７０に出力し、第１プリンタ制御装置５０から出力されたオンオフ情報を用いて、グロッサ８０をオンにする。
【０２４４】
プリンタ機７０は、第２プリンタ制御装置６０から出力されたＣＭＹＫの色版画像データ及びクリアトナー版画像データを用いて、露光器から光ビームを照射して各トナーに応じたトナー像を感光体上に形成してこれを紙に転写しこれを通常温度での加熱及び加圧により定着させる。これによって紙に、ＣＭＹＫのトナーの他クリアトナーが付着されて、画像が形成される。その後、グロッサ８０が当該紙を高温及び高圧で加圧する。低温定着機９０に対しては、クリアトナー版画像データは出力されていないため、低温定着機９０では、クリアトナーが付着されずに、当該紙が排紙される。
【０２４５】
この結果、画像データによって規定された領域全体でＣＭＹＫの各トナー及びクリアトナーの総付着量が均一に圧縮されているため、当該領域の表面から強い光沢が得られる。
【０２４６】
一方、表面効果として鏡面光沢が指定された領域が、画像データによって規定される領域の一部に相当する場合は次のような事態がおこりうる。まず、鏡面光沢が指定された領域には、上述したインバースマスクを表すクリアトナー版画像データが用いられる。しかし、それ以外の全ての画素に対してＣＭＹＫトナーの総付着量が所定以上セットされていた場合には、グロッサ８０で加圧されると、結果的に、鏡面光沢が指定された領域とＣＭＹＫトナーの総付着値が所定以上セットされている領域のＣＭＹＫの各トナー及びクリアトナーの総付着量が均一になってしまう。
【０２４７】
例えば、当該画像データによって規定される領域を構成する全ての画素に対してＣＭＹＫトナーの総付着値が所定以上セットされていた場合には、画像データによって規定される領域全体に、鏡面光沢が指定されたのと同じ結果となる。
【０２４８】
このため、表面効果として鏡面光沢が指定された領域が、画像データによって規定される領域の一部に相当する場合、第１プリンタ制御装置５０は、画像データによって規定される領域全体に対して鏡面光沢が指定されたのと同じクリアトナー版画像データを生成し、紙にクリアトナーが付着された後、グロッサ８０で加圧する。次に、グロッサ８０で加圧された紙に対して表面効果として鏡面光沢が指定された領域以外の領域に対してつや消しの表面効果を与えるべく、低温定着機９０で用いるクリアトナー版画像データを生成する。
【０２４９】
具体的には、第１プリンタ制御装置５０は、上述と同様にして式（３）によるインバースマスクを、プリンタ機７０で用いるクリアトナー版画像データとして生成する。更に、第１プリンタ制御装置５０は、表面効果として鏡面光沢が指定された領域以外の領域に対して式（４）によってベタマスクを、低温定着機９０で用いるクリアトナー版画像データとして生成する。そして、ステップＳ７では、第１プリンタ制御装置５０のｓｉ３部５７は、プリンタ機７０で用いるクリアトナー版画像データ及び低温定着機９０で用いるクリアトナー版画像データと、ステップＳ３で得たハーフトーン処理後のＣＭＹＫの各２ビットの画像データとを統合し、統合した画像データと、グロッサ８０のオンを示すオンオフ情報とを第２プリンタ制御装置６０に出力する。
【０２５０】
第２プリンタ制御装置６０は、第１プリンタ制御装置５０から出力された画像データのうちＣＭＹＫの色版画像データ及びプリンタ機７０で用いるクリアトナー版画像データをプリンタ機７０に出力し、第１プリンタ制御装置５０から出力されたオンオフ情報を用いて、グロッサ８０をオンにし、第１プリンタ制御装置５０から出力された画像データのうち低温定着機９０で用いるクリアトナー版画像データを低温定着機９０に出力する。プリンタ機７０は、第２プリンタ制御装置６０から出力されたＣＭＹＫの色版画像データ及びクリアトナー版画像データを用いて、紙に、ＣＭＹＫのトナー及びクリアトナーを付着させた画像を形成する。その後、グロッサ８０が当該紙を高温及び高圧で加圧する。低温定着機９０は、第２プリンタ制御装置６０から出力されたクリアトナー版画像データを用いてクリアトナーによるトナー像を形成して、グロッサ８０を通過した紙上に当該トナー像を重ねて、低温での加熱及び加圧により紙に定着させる。この結果、鏡面光沢が指定された領域では、ＣＭＹＫの各トナー及びクリアトナーの総付着量が均一に圧縮されているため、当該領域の表面から強い光沢が得られる。一方、鏡面光沢が指定された領域以外では、グロッサ８０での加圧後にベタマスクによるクリアトナーの付着によって表面の凹凸が生じて、当該領域の表面の光沢が抑えられる。
【０２５１】
また、ステップＳ４では、第１プリンタ制御装置５０のクリアプロセッシング５６は、８ビットの光沢制御版の各画素の表す濃度値を用いて表面効果選択テーブルを参照して、濃度値が「２１２」〜「２３２」である画素に対して指定された表面効果は、ベタ光沢であると判断し、特に、濃度値が「２２８」〜「２３２」である画素に対しては、ベタ光沢タイプ１であると判断する。この場合、第１プリンタ制御装置５０のクリアプロセッシング５６は、ガンマ補正後のＣＭＹＫの各８ビットの画像データにおいて当該領域に対応する画像データを用いて、インバースマスク１を生成する。当該インバースマスク１を表すものが、プリンタ機７０で用いるクリアトナー版画像データとなる。なお、当該領域に対して低温定着機９０ではクリアトナー版画像データを用いないため、第１プリンタ制御装置５０は、低温定着機９０で用いるクリアトナー版画像データを生成しない。そして、ステップＳ７では、第１プリンタ制御装置５０のｓｉ３部５７は、プリンタ機７０で用いるクリアトナー版画像データと、ステップＳ３で得たハーフトーン処理後のＣＭＹＫの各２ビットの画像データと、を統合し、統合した画像データと、グロッサ８０のオフを示すオンオフ情報とを第２プリンタ制御装置６０に出力する。第２プリンタ制御装置６０は、第１プリンタ制御装置５０から出力された画像データであるＣＭＹＫの色版画像データ及びプリンタ機７０で用いるクリアトナー版画像データをプリンタ機７０に出力し、第１プリンタ制御装置５０から出力されたオンオフ情報を用いて、グロッサ８０をオフにする。プリンタ機７０は、第２プリンタ制御装置６０から出力されたＣＭＹＫの色版画像データ及びプリンタ機７０で用いるクリアトナー版画像データを用いて、紙に、ＣＭＹＫのトナー及びクリアトナーを付着させた画像を形成する。グロッサ８０はオフにされているため、その後、紙は、高温及び高圧で加圧されることはない。また、低温定着機９０に対しては、クリアトナー版画像データは出力されていないため、低温定着機９０では、クリアトナーが付着されずに、当該紙が排紙される。この結果、表面効果としてベタ光沢が指定された領域には、ＣＭＹＫの各トナー及びクリアトナーの総付着量が比較的均一になり、当該領域の表面からやや強い光沢が得られる。
【０２５２】
また、ステップＳ４では、第１プリンタ制御装置５０のクリアプロセッシング５６は、８ビットの光沢制御版の各画素の表す濃度値を用いて表面効果選択テーブルを参照して、濃度値が「２３」〜「４３」である画素に対して指定された表面効果は、網点マットであると判断する。この場合、第１プリンタ制御装置５０のクリアプロセッシング５６は、ハーフトーンを表す画像データを、プリンタ機７０で用いるクリアトナー版画像データとして生成する。なお、当該領域に対して低温定着機９０ではクリアトナー版画像データを用いないため、第１プリンタ制御装置５０は、低温定着機９０で用いるクリアトナー版画像データを生成しない。そして、ステップＳ７では、第１プリンタ制御装置５０のｓｉ３部５７は、プリンタ機７０で用いるクリアトナー版画像データと、ステップＳ３で得たハーフトーン処理後のＣＭＹＫの各２ビットの画像データとを統合し、統合した画像データと、グロッサ８０のオフを示すオンオフ情報とを第２プリンタ制御装置６０に出力する。第２プリンタ制御装置６０は、第１プリンタ制御装置５０から出力された画像データであるＣＭＹＫの色版画像データ及びプリンタ機７０で用いるクリアトナー版画像データをプリンタ機７０に出力し、第１プリンタ制御装置５０から出力されたオンオフ情報を用いて、グロッサ８０をオフにする。プリンタ機７０は、第２プリンタ制御装置６０から出力されたＣＭＹＫの色版画像データ及びクリアトナー版画像データを用いて、紙に、ＣＭＹＫのトナー及びクリアトナーを付着させた画像を形成する。グロッサ８０はオフにされているため、その後、紙は、高温及び高圧で加圧されることはない。また、低温定着機９０に対しては、クリアトナー版画像データは出力されていないため、低温定着機９０では、クリアトナーが付着されずに、当該紙が排紙される。この結果、表面効果として網点マットが指定された領域にはクリアトナーにより網点が付加されることにより、表面の凹凸が生じて、当該領域の表面の光沢がやや抑えられる。
【０２５３】
また、ステップＳ４では、第１プリンタ制御装置５０のクリアプロセッシング５６は、８ビットの光沢制御版の各画素の表す濃度値を用いて表面効果選択テーブルを参照して、濃度値が「１」〜「１７」である画素に対して指定された表面効果は、つや消しであると判断する。この場合、第１プリンタ制御装置５０のクリアプロセッシング５６は、グロッサ８０のオンまたはオフは１ページ内に他の表面効果が指定されている場合（後述）はその設定に従い、オン又はオフのいずれにしても、プリンタ機７０で用いるクリアトナー版画像データを生成せず、ベタマスクを、低温定着機９０で用いるクリアトナー版画像データとして生成する。そして、ステップＳ７では、第１プリンタ制御装置５０のｓｉ３部５７は、低温定着機９０で用いるクリアトナー版画像データと、ステップＳ３で得たハーフトーン処理後のＣＭＹＫの各２ビットの画像データを統合し、統合した画像データと、グロッサ８０のオン又はオフを示すオンオフ情報とを第２プリンタ制御装置６０に出力する。第２プリンタ制御装置６０は、第１プリンタ制御装置５０から出力された画像データのうちＣＭＹＫの色版画像データをプリンタ機７０に出力し、第１プリンタ制御装置５０から出力された画像データのうち低温定着機９０で用いるクリアトナー版画像データを低温定着機９０に出力する。プリンタ機７０は、第２プリンタ制御装置６０から出力されたＣＭＹＫの色版画像データを用いて、紙に、ＣＭＹＫのトナーを付着させた画像を形成する。グロッサ８０がオンにされた場合には、紙は、グロッサ８０で高温及び高圧で加圧され、グロッサ８０がオフにされた場合には、紙は、高温及び高圧で加圧されない。低温定着機９０は、第２プリンタ制御装置６０から出力されたクリアトナー版画像データを用いてクリアトナーによるトナー像を形成して、グロッサ８０を通過した紙上に当該トナー像を重ねて、低温での加熱及び加圧により紙に定着させる。この結果、表面効果としてつや消しが指定された領域には、ベタマスクによるクリアトナーの付着によって表面の凹凸が生じて、当該領域の表面の光沢が抑えられる。
【０２５４】
上記では、１ページ内に同一の表面効果が指定された場合について説明したが、１ページ内で異なる種類の表面効果が指定された場合についても、上述した処理で同様に実現可能である。すなわち、１ページ内で複数の表面効果が指定されている場合、光沢制御版画像データでは、図２８に示す表面効果の種類に対応する各濃度値が、各種類の表面効果を付与する領域内の画素に設定されている。すなわち、光沢制御版では、表面効果の種類ごとに、当該表面効果を付与する領域を指定しているため、第１プリンタ制御装置５０では、この光沢制御版画像データにおいて、同一の濃度値が設定された画素の範囲を、同一の表面効果を付与する領域として判断すればよく、各表面効果を１ページ内で容易に実現することが可能となっている。
【０２５５】
しかし、光沢制御版画像データにおいて濃度値によって１ページに複数種類の表面効果が指定された場合、同一ページにおいてグロッサ８０のオン又はオフを切り替えることができないため、同時に実現することができる種類の表面効果と、同時に実現することができない種類の表面効果がある。
【０２５６】
図１に示したように、プリンタ機７０とグロッサ８０と低温定着機９０とを備えた構成を採用している本実施の形態において、１ページ内で鏡面光沢（ＰＧ）とつや消し（ＰＭ）の表面効果が指定された場合には、図２８により、鏡面光沢（ＰＧ）ではグロッサ８０をオンとし、つや消し（ＰＭ）ではグロッサ８０のオンオフはページ内の他の表面効果の指定に従うことから、これらの２種類の表面効果を１ページ内で同時に実現することができる。
【０２５７】
この場合において、ステップＳ４では、第１プリンタ制御装置５０のクリアプロセッシング５６は、８ビットの光沢制御版の各画素の表す濃度値を用いて、図２８に例示される表面効果選択テーブルを参照して、濃度値が「２３８」〜「２５５」である画素の領域に対して指定された表面効果は、鏡面光沢（ＰＧ）であると判断する。そして、第１プリンタ制御装置５０のクリアプロセッシング５６は、ガンマ補正後のＣＭＹＫの各８ビットの画像データにおいて当該領域に対応する画像データを用いて、例えば式３によりインバースマスクを生成する。当該インバースマスクを表すものが、鏡面光沢（ＰＧ）の表面効果が指定された領域に対してプリンタ機７０で用いるクリアトナー版画像データとなる。なお、当該鏡面光沢が指定された領域に対して低温定着機９０ではクリアトナー版画像データを用いないため、第１プリンタ制御装置５０は、鏡面光沢が指定された領域に対して低温定着機９０で用いるクリアトナー版画像データを生成しない。
【０２５８】
また、ステップＳ４では、第１プリンタ制御装置５０のクリアプロセッシング５６は、上記と同一ページ内において、同様に表面効果選択テーブルを参照して、濃度値が「１」〜「１７」である画素の領域に対して指定された表面効果は、つや消し（ＰＭ）であると判断する。この場合、第１プリンタ制御装置５０のクリアプロセッシング５６は、１ページ内に他の表面効果である鏡面光沢の設定に従ってグロッサ８０をオンとし、つや消しが指定された領域に対してプリンタ機７０で用いるクリアトナー版画像データを生成せず、つや消しが指定された領域に対してベタマスクを、低温定着機９０で用いるクリアトナー版画像データとして生成する。
【０２５９】
そして、ステップＳ７では、第１プリンタ制御装置５０のｓｉ３部５７は、鏡面光沢が指定された領域に対してプリンタ機７０で用いるクリアトナー版画像データと、つや消しが指定された領域に対して低温定着機９０で用いるクリアトナー版画像データと、ステップＳ３で得たハーフトーン処理後のＣＭＹＫの各２ビットの画像データを統合し、統合した画像データと、グロッサ８０のオンを示すオンオフ情報とを第２プリンタ制御装置６０に出力する。
【０２６０】
第２プリンタ制御装置６０は、第１プリンタ制御装置５０から出力された画像データのうちＣＭＹＫの色版画像データと、プリンタ機７０で用いる鏡面光沢が指定された領域に対するクリアトナー版画像データとをプリンタ機７０に出力する。また、第２プリンタ制御装置６０は、第１プリンタ制御装置５０から出力された画像データのうち、つや消しが指定された領域に対して低温定着機９０で用いるクリアトナー版画像データを低温定着機９０に出力し、第１プリンタ制御装置５０から出力されたオンオフ情報を用いて、グロッサ８０をオンにする。
【０２６１】
プリンタ機７０は、第２プリンタ制御装置６０から出力されたＣＭＹＫの色版画像データ及び鏡面光沢が指定された領域に対するクリアトナー版画像データを用いて、露光器から光ビームを照射して各トナーに応じたトナー像を感光体上に形成してこれを紙に転写しこれを通常温度での加熱及び加圧により定着させる。これによって紙に、ＣＭＹＫのトナーの他クリアトナーが付着されて、画像が形成される。その後、グロッサ８０が当該紙を高温及び高圧で加圧する。
【０２６２】
低温定着機９０は、第２プリンタ制御装置６０から出力された、つや消しが指定された領域に対するクリアトナー版画像データを用いてクリアトナーによるトナー像を形成して、グロッサ８０を通過した紙上に当該トナー像を重ねて、低温での加熱及び加圧により紙に定着させる。この結果、表面効果として鏡面光沢が指定された領域の表面から強い光沢が得られ、表面効果としてつや消しが指定された領域には、ベタマスクによるクリアトナーの付着によって表面の凹凸が生じて、当該領域の表面の光沢が抑えられる。
【０２６３】
また、この他、本実施の形態の構成において、１ページ内で、ベタ光沢（Ｇ）と網点マット（Ｍ）とつや消し（ＰＭ）の表面効果が指定された場合には、図２８により、ベタ光沢（Ｇ）および網点マット（Ｍ）ではグロッサ８０をオフとし、つや消し（ＰＭ）ではグロッサ８０のオンオフはページ内の他の表面効果の指定に従うことから、これらの３種類の表面効果を１ページ内で同時に実現することができる。
【０２６４】
この場合について、より具体的に説明する。ステップＳ４では、第１プリンタ制御装置５０のクリアプロセッシング５６は、８ビットの光沢制御版の各画素の表す濃度値を用いて表面効果選択テーブルを参照して、濃度値が「２１２」〜「２３２」である画素の領域に対して指定された表面効果は、ベタ光沢であると判断し、特に、濃度値が「２２８」〜「２３２」である画素に対しては、ベタ光沢タイプ１であると判断する。この場合、第１プリンタ制御装置５０のクリアプロセッシング５６は、ガンマ補正後のＣＭＹＫの各８ビットの画像データにおいて当該領域に対応する画像データを用いて、インバースマスク１を生成する。当該インバースマスク１を表すものが、ベタ光沢が指定された領域に対してプリンタ機７０で用いるクリアトナー版画像データとなる。なお、ベタ光沢が指定された領域に対して低温定着機９０ではクリアトナー版画像データを用いないため、第１プリンタ制御装置５０は、低温定着機９０で用いるクリアトナー版画像データを生成しない。
【０２６５】
また、ステップＳ４では、第１プリンタ制御装置５０のクリアプロセッシング５６は、上記と同一ページ内において、同様に表面効果選択テーブルを参照して、濃度値が「２３」〜「４３」である画素の領域に対して指定された表面効果は、網点マット（Ｍ）であると判断する。この場合、第１プリンタ制御装置５０のクリアプロセッシング５６は、ハーフトーンを表す画像データを、網点マットが指定された領域に対してプリンタ機７０で用いるクリアトナー版画像データとして生成する。なお、この網点マットが指定された領域に対して低温定着機９０ではクリアトナー版画像データを用いないため、第１プリンタ制御装置５０は、低温定着機９０で用いるクリアトナー版画像データを生成しない。
【０２６６】
さらに、ステップＳ４では、第１プリンタ制御装置５０のクリアプロセッシング５６は、上記と同一ページ内において、同様に表面効果選択テーブルを参照して、濃度値が「１」〜「１７」である画素の領域に対して指定された表面効果は、つや消し（ＰＭ）であると判断する。この場合、第１プリンタ制御装置５０のクリアプロセッシング５６は、グロッサ８０のオンまたはオフは１ページ内に指定されている他の表面効果であるベタ光沢、網点マットの設定に従いオフとし、つや消しが指定された領域に対してプリンタ機７０で用いるクリアトナー版画像データを生成せず、つや消しが指定された領域に対してベタマスクを、低温定着機９０で用いるクリアトナー版画像データとして生成する。
【０２６７】
そして、ステップＳ７では、第１プリンタ制御装置５０のｓｉ３部５７は、ベタ光沢が指定された領域に対してプリンタ機７０で用いるクリアトナー版画像データと、網点マットが指定された領域に対してプリンタ機７０で用いるクリアトナー版画像データと、つや消しが指定された領域に対して低温定着機９０で用いるクリアトナー版画像データと、ステップＳ３で得たハーフトーン処理後のＣＭＹＫの各２ビットの画像データとを統合し、統合した画像データと、グロッサ８０のオフを示すオンオフ情報とを第２プリンタ制御装置６０に出力する。
【０２６８】
第２プリンタ制御装置６０は、第１プリンタ制御装置５０から出力された画像データであるＣＭＹＫの色版画像データ、ベタ光沢が指定された領域に対してプリンタ機７０で用いるクリアトナー版画像データおよび網点マットが指定された領域に対してプリンタ機７０で用いるクリアトナー版画像データをプリンタ機７０に出力し、第１プリンタ制御装置５０から出力されたオンオフ情報を用いて、グロッサ８０をオフにする。また、第２プリンタ制御装置６０は、第１プリンタ制御装置５０から出力された画像データのうち、つや消しが指定された領域に対して低温定着機９０で用いるクリアトナー版画像データを低温定着機９０に出力する。
【０２６９】
プリンタ機７０は、第２プリンタ制御装置６０から出力されたＣＭＹＫの色版画像データ、ベタ光沢が指定された領域に対してプリンタ機７０で用いるクリアトナー版画像データおよび網点マットが指定された領域に対してプリンタ機７０で用いるクリアトナー版画像データを用いて、紙に、ＣＭＹＫのトナー及びクリアトナーを付着させた画像を形成する。グロッサ８０はオフにされているため、その後、紙は、高温及び高圧で加圧されることはない。
【０２７０】
また、低温定着機９０は、第２プリンタ制御装置６０から出力された、つや消しが指定された領域に対するクリアトナー版画像データを用いて、つや消しの領域に対してクリアトナーによるトナー像を形成して、紙上に当該トナー像を重ねて、低温での加熱及び加圧により紙に定着させる。
【０２７１】
以上の結果、１ページ内において表面効果としてベタ光沢が指定された領域には、ＣＭＹＫの各トナー及びクリアトナーの総付着量が比較的均一になり、当該領域の表面からやや強い光沢が得られる。また、１ページ内において表面効果として網点マットが指定された領域にはクリアトナーにより網点が付加されることにより、表面の凹凸が生じて、当該領域の表面の光沢がやや抑えられる。さらに、１ページ内において表面効果としてつや消しが指定された領域には、ベタマスクによるクリアトナーの付着によって表面の凹凸が生じて、当該領域の表面の光沢が抑えられる。
【０２７２】
このように同一ページ内において複数の種類の異なる表面効果が指定され、表面効果に応じてグロッサ８０のオン又はオフを切り替える必要がない場合には、複数の異なる表面効果を１ページ内で実現することができるが、同一ページにおいてグロッサ８０のオン又はオフを切り替える必要のある複数の異なる表面効果は、１ページ内で実現することができない。
【０２７３】
例えば、プリンタ機７０とグロッサ８０と低温定着機９０とを備えた構成を採用している本実施の形態において、鏡面光沢（ＰＧ）とベタ光沢（Ｇ）とが１ページ内で指定されている場合、図２８により、鏡面光沢（ＰＧ）ではグロッサ８０をオンとし、ベタ光沢（Ｇ）ではグロッサ８０をオフとすることから、鏡面光沢（ＰＧ）とベタ光沢（Ｇ）の２種類の表面効果を１ページ内で実現することはできない。
【０２７４】
このように、１ページ内で異なる種類の表面効果が指定されたが、１ページ内で実現することができない場合には、本実施の形態では、第１プリンタ制御装置５０は、同時に実現できない表面効果のうち一部の種類の表面効果については、指定された表面効果以外の表面効果で代用して実現させるようにする。
【０２７５】
例えば、図３２に例示されるように、同一ページにおいて鏡面光沢（ＰＧ）、ベタ光沢（Ｇ）、網点マット（Ｍ）、つや消し（ＰＭ）の４つの効果が指定されていた場合、第１プリンタ制御装置５０はグロッサ８０をオフにさせると共に、光沢制御版において濃度値によって、表面効果がベタ光沢であると判断した領域、表面効果が網点マットであると判断した領域及び表面効果がつや消しであると判断した領域については、各表面効果を実現させ、表面効果が鏡面光沢であると判断した領域については、ベタ光沢を代替の表面効果として選択する。そして、第１プリンタ制御装置５０は、表面効果が鏡面光沢であると判断した領域に対して、ベタ光沢の場合と同様にして、ガンマ補正後のＣＭＹＫの各８ビットの画像データにおいて当該領域に対応する画像データを用いて、インバースマスクＡ、Ｂ、Ｃのいずれかを、プリンタ機７０で用いるクリアトナー版画像データとして生成する（図３２のＩＮＶに該当する）。低温定着機９０で用いるクリアトナー版画像データは生成しない。図２８において、濃度値が「２４８」〜「２５５」のとき、その効果は第１プリンタ制御装置５０で鏡面光沢タイプＡと判断され、インバースマスクＡが用いられる。また、図３２のＩＮＶ−ｍは図２８のインバースマスク１〜４、図３２のｈａｌｆｔｏｎｅ−ｎは図２８のハーフトーン１〜４と対応している。そして、上述したようにしてプリンタ機７０、オフにされたグロッサ８０及び低温定着機９０を経て排紙された紙において、鏡面光沢が指定された領域及びベタ光沢が指定された領域には、ベタ光沢としての表面効果が与えられ、網点マットが指定された領域には、網点マットとしての表面効果が与えられ、つや消しが指定された領域には、つや消しとしての表面効果が与えられる。なお、表面効果を与える領域として指定されていない領域には、いずれの表面効果も与えられない。
【０２７６】
以上のように、第１プリンタ制御装置５０が、ユーザが指定した表面効果の種類に応じて濃度値がセットされた光沢制御版を用いて、プリンタ機７０に後続するグロッサ８０や低温定着機９０などの後処理機の有無やその種類に応じて、後処理機での後処理の有無を判断し、クリアトナーを付着させるためのクリアトナー版画像データを適宜生成する。これにより、様々な構成の画像形成システム１においても共通の表面効果を与えるためのクリアトナー版画像データを生成することができ、当該クリアトナー版画像データを用いて、ＣＭＹＫのトナー像により形成された画像に対してクリアトナーを付着させることにより、各種表面効果を与えることが可能になる。従って、ユーザは手間を掛けることなく、画像が形成される印刷物に対してクリアトナーによる所望の表面効果を与えることが可能になる。
【０２７７】
また、本実施の形態では、光沢制御版画像データの画素毎に表面効果を特定する濃度値を設定しているので、紙内の１ページにおいて複数の種類の表面効果を与えることができる。
【０２７８】
なお、本実施の形態にかかる画像形成システムにおいては、プレビュー画像処理部１２５は、版データ生成部１２２により生成された原稿データに基づいて、プレビュー画像を生成したが、第１の変更例としては、印刷データ生成部１２３により生成された原稿データに基づいて、プレビュー画像を生成してもよい。なお、この場合には、印刷データから原稿データを抽出し、原稿データに対し、実施の形態において説明したのと同様の処理を施すことにより、プレビュー画像を生成する。
【０２７９】
また、本実施の形態においては、版データ生成部１２２及び印刷データ生成部１２３は、同一装置が備えることとしたが、第２の変更例としては、これらはそれぞれ別個の装置が備えることとしてもよい。
【０２８０】
また、第３の変更例としては、ホスト装置１０にかえて、第１プリンタ制御装置５０がプレビュー画像処理部を備えることとしてもよい。この場合には、プレビュー画像処理部は、ホスト装置１０から入力された印刷データに含まれる画像データに基づいて、プレビュー画像を生成する。
【０２８１】
また、第４の変更例としては、本実施の形態の画像形成システム１の一の装置で行っていた処理の一部を、当該装置とネットワークを介して接続するクラウド上の一以上の装置で行ってもよい。
【０２８２】
図３３は、そうしたシステムの一例として、ネットワークを介してホスト装置４１０と接続するサーバ装置４００を備えた画像形成システムを示す図である。図３３に示す画像形成システムにおいては、サーバ装置４００は、ネットワークを介してホスト装置４１０と通信する通信部４０８と、取得部４１０と、抽出部４０２と、作成部４０４と、記憶部４０６と、を備えている。ホスト装置４１０は、実施の形態において説明した構成に加えて、通信部１６を備えている。また、ホスト装置４１０のプレビュー画像処理部１２６は、設定部２０６および表示制御部２０８を備えている。
【０２８３】
また、サーバ装置４００が、上記実施の形態における、取得部４１０、抽出部４０２、作成部４０４、記憶部４０６、及び通信部４０８を備える。取得部４１０、抽出部４０２、作成部４０４、及び記憶部４０６は、上記に説明した取得部２００、抽出部２０２、作成部２０４、及び記憶部１２と同様である。
【０２８４】
なお、異なる点は、本変更例においては、サーバ装置４００の取得部４１０は、通信部４０８を介して、ホスト装置４１０から原稿データ及び紙質の種類を受信する。そして、作成部４０４により生成された、第１有色版画像データ、第１質感データ、及び第２質感データは、通信部４０８を介してホスト装置４１０に送信される。
【０２８５】
ホスト装置４１０では、通信部１６を介してサーバ装置４００から、第１有色版画像データ、第１質感データ、及び第２質感データを受信する。そして、プレビュー画像処理部１２６の設定部２０６および表示制御部２０８は、サーバ装置４００から受信した第１有色版画像データ、第１質感データ、及び第２質感データを利用して、パラメータの設定、及びプレビュー画像の表示制御を行う。
【０２８６】
なお、サーバ装置４００が行う処理は本例に限定されるものではなく、サーバ装置４００は、本実施の形態にかかる画像形成システム１が行う処理の一部を行うことができる。そうした他の例としては、サーバ装置４００はさらに設定部２０６を備え、ホスト装置４１０が備える表示制御部２０８に与えるパラメータを特定してもよい。この場合には、ホスト装置４１０が備える表示制御部２０８は、サーバ装置４００から受信したパラメータを利用して、プレビュー画像を生成する。
【０２８７】
また、画像形成システムは、２以上のサーバ装置を備えてもよい。この場合には、実施の形態にかかる画像形成システムが行う処理の一部を、各サーバ装置に分散させる。さらに、各サーバ装置に分散させる処理については、任意に設定することができる。
【０２８８】
上述した実施の形態のホスト装置１０、ホスト装置４１０、第１プリンタ制御装置５０、第２プリンタ制御装置６０、サーバ装置４００のハードウェア構成について説明する。
【０２８９】
図３４は、ホスト装置１０、ホスト装置４１０、第１プリンタ制御装置５０、第２プリンタ制御装置６０、サーバ装置４００のハードウェア構成図である。ホスト装置１０、ホスト装置４１０、第１プリンタ制御装置５０、第２プリンタ制御装置６０、サーバ装置４００は、ハードウェア構成として、装置全体を制御するＣＰＵなどの制御装置２９０１と、各種データや各種プログラムを記憶するＲＯＭやＲＡＭなどの主記憶装置２９０２と、各種データや各種プログラムを記憶するＨＤＤなどの補助記憶装置２９０３と、キーボードやマウス等の入力装置２９０５と、ディスプレイ装置等の表示装置２９０４とを主に備えており、通常のコンピュータを利用したハードウェア構成となっている。
【０２９０】
上記実施の形態のホスト装置１０、ホスト装置４１０、第１プリンタ制御装置５０、第２プリンタ制御装置６０、サーバ装置４００で実行されるプログラム（画像処理アプリケーションを含む。以下同じ。）は、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されてコンピュータプログラムプロダクトとして提供される。
【０２９１】
また、上記実施の形態のホスト装置１０、ホスト装置４１０、第１プリンタ制御装置５０、第２プリンタ制御装置６０、サーバ装置４００で実行されるプログラムを、インターネット等のネットワークに接続されたコンピュータ上に格納し、ネットワーク経由でダウンロードさせることにより提供するように構成しても良い。また、上記実施の形態のホスト装置１０、ホスト装置４１０、第１プリンタ制御装置５０、第２プリンタ制御装置６０、サーバ装置４００で実行されるプログラムをインターネット等のネットワーク経由で提供または配布するように構成してもよい。
【０２９２】
また、上記実施の形態のホスト装置１０、ホスト装置４１０、第１プリンタ制御装置５０、第２プリンタ制御装置６０、サーバ装置４００で実行されるプログラムを、ＲＯＭ等に予め組み込んで提供するように構成してもよい。
【０２９３】
上記実施の形態のホスト装置１０、ホスト装置４１０、第１プリンタ制御装置５０、第２プリンタ制御装置６０、サーバ装置４００で実行されるプログラムは、上述した各部を含むモジュール構成となっており、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。
【０２９４】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０２９５】
上述した実施の形態において、画像形成システム１は、ホスト装置１０、第１プリンタ制御装置５０、第２プリンタ制御装置６０、プリンタ機７０、グロッサ８０及び低温定着機９０を備えるように構成したが、これに限らない。例えば、第１プリンタ制御装置５０、第２プリンタ制御装置６０及びプリンタ機７０を一体的に形成して１つの画像形成装置として構成するようにしてもよいし、更に、グロッサ８０及び低温定着機９０を備えた画像形成装置として形成するようにしてもよい。
【０２９６】
上述した実施の形態の画像形成システム１においては、ＣＭＹＫの複数の色のトナーを用いて画像を形成するようにしたが、１色のトナーを用いて画像を形成するようにしても良い。
【０２９７】
なお、上述した実施の形態の画像形成システムは、第２プリンタ制御装置６０を備えた構成としているが、これに限定されるものではない。上述した第２プリンタ制御装置６０が行う処理、機能を第１プリンタ制御装置５０等の他の装置にもたせて、第２プリンタ制御装置６０を設けない構成としてもよい。
【０２９８】
また、上述した画像形成システム１においては、ホスト装置１０が、プレビュー画像処理部１２５を備える形態を説明したが、プレビュー画像処理部１２５は、第１プリンタ制御装置５０、または第２プリンタ制御装置６０に設けられていてもよい。
【符号の説明】
【０２９９】
１０、４１０  ホスト装置
１２  記憶部
１３  入力部
１４  表示部
１５  制御部
１２５  プレビュー画像処理部
２００  取得部
２０２  抽出部
２０２Ａ  分離部
２０２Ｂ  生成部
２０４  作成部
２０４Ａ  第１作成部
２０４Ｂ  第２作成部
２０６  設定部
２０８  表示制御部
４００  サーバ装置
【先行技術文献】
【特許文献】
【０３００】
【特許文献１】特開２００９−１３０４６１号公報
【図１】
2014096648.tif 000003
【図２】
2014096648.tif 000004
【図３】
2014096648.tif 000005
【図４】
2014096648.tif 000006
【図５】
2014096648.tif 000007
【図８】
2014096648.tif 000008
【図９】
2014096648.tif 000009
【図１２】
2014096648.tif 000010
【図１３】
2014096648.tif 000011
【図１５】
2014096648.tif 000012
【図１６】
2014096648.tif 000013
【図２２】
2014096648.tif 000014
【図２３】
2014096648.tif 000015
【図２４】
2014096648.tif 000016
【図２５】
2014096648.tif 000017
【図２６】
2014096648.tif 000018
【図２７】
2014096648.tif 000019
【図２８】
2014096648.tif 000020
【図２９】
2014096648.tif 000021
【図３０】
2014096648.tif 000022
【図３１】
2014096648.tif 000023
【図３２】
2014096648.tif 000024
【図３３】
2014096648.tif 000025
【図３４】
2014096648.tif 000026
【図６】
2014096648.tif 000027
【図７】
2014096648.tif 000028
【図１０】
2014096648.tif 000029
【図１１】
2014096648.tif 000030
【図１４】
2014096648.tif 000031
【図１７】
2014096648.tif 000032
【図１８】
2014096648.tif 000033
【図１９】
2014096648.tif 000034
【図２０】
2014096648.tif 000035
【図２１】
2014096648.tif 000036